(57)【要約】【課題】  他の商品とのコーディネートも含め購入に最適な商品を利用者（顧客）が適切に選択することを支援するコーディネート情報提供システム及び読取情報管理システムを提供する。【解決手段】  コーディネート情報提供システムは、商品を購入又は購入予定である購入者により操作される購入者端末１０と、商品の情報並びに購入者及び情報提供者の情報を管理するとともに、購入者端末１０へ商品の情報を提供する管理サーバ２０と、商品のコーディネート情報を管理サーバ２０へ提供する情報提供者により操作される情報提供者端末３０と、上記管理サーバ２０を管理する情報管理事業者が操作する管理事業者端末４０と、これら各端末及びサーバ１０，２０，３０，４０を通信可能に接続するネットワーク１００とを有して構成される。【選択図】        図１
2014241123.tif 000002
【特許請求の範囲】
【請求項１】
商品を特定する商品コードが記録されている商品コード記録媒体から前記商品コードを読み取る購入者端末と、
前記購入者端末とネットワークを介して接続され、コーディネート例を示すコーディネート情報と該コーディネート例に使用される商品の情報とを対応付けて管理する管理サーバとを有し、
前記管理サーバは、前記読み取られた商品コードを購入者端末から受信すると、該受信した商品コードに対応した商品が使用されたコーディネート例を示す前記コーディネート情報を前記購入者端末へ送信することを特徴とするコーディネート情報提供システム。
【請求項２】
前記管理サーバは、前記商品コードを前記購入者端末から受信すると、該受信した商品コードに対応した商品情報を前記購入者端末へ送信し、
前記購入者端末は、前記商品情報を前記管理サーバから受信すると、該受信した商品情報を表示することを特徴とする請求項１記載のコーディネート情報提供システム。
【請求項３】
前記購入者端末は、前記商品コードと、該商品コードに対応した商品を購入予定又は購入済みである旨の情報とを前記管理サーバへ送信し、
前記管理サーバは、前記商品コードと、前記商品を購入予定又は購入済みである旨の情報とを前記購入者端末から受信すると、該商品コードに基づいて前記商品情報を抽出し、該抽出した商品情報に基づいて、前記購入予定の商品のリスト又は前記購入済みの商品のリストを作成し、前記購入者端末からの要求に応じて該作成したリストを送信することを特徴とする請求項１又は２記載のコーディネート情報提供システム。
【請求項４】
前記管理サーバは、前記商品情報に前記商品を購入予定又は購入済みである旨の情報を対応付けて格納し、前記購入者端末からの要求に応じて該格納した情報を送信することを特徴とする請求項３記載のコーディネート情報提供システム。
【請求項５】
前記管理サーバは、前記購入済みの商品のリストに掲載された商品の販売を許可する旨の情報を前記購入者端末から受信すると、該販売が許可された商品の販売用のページを作成し、該作成したページをネットワークを介してアクセス可能な状態にすることを特徴とする請求項３記載のコーディネート情報提供システム。
【請求項６】
前記管理サーバは、商品の製造元又は販売元のＷｅｂページを巡回して前記商品情報を抽出して格納することを特徴とする請求項１から４のいずれか１項に記載のコーディネート情報提供システム。
【請求項７】
前記コーディネート情報を前記管理サーバへ送信して登録する情報提供者端末をさらに有することを特徴とする請求項１から５のいずれか１項に記載のコーディネート情報提供システム。
【請求項８】
前記管理サーバは、前記情報提供者端末を操作する情報提供者が提供した２以上の前記コーディネート情報を互いに対応付けて格納し、前記購入者端末からの要求に応じて該格納した情報を送信することを特徴とする請求項７記載のコーディネート情報提供システム。
【請求項９】
前記購入者端末は、店舗固有の情報を店舗に設置される記録媒体から読み取り、該読み取った情報を前記商品コードとともに前記管理サーバへ送信し、
前記管理サーバは、前記購入者端末から受信した店舗固有の情報と商品コードとを対応付けて格納することを特徴とする請求項１から８のいずれか１項に記載のコーディネート情報提供システム。
【請求項１０】
前記管理サーバは、前記購入者がＥＣサイトにおいて商品を購入したときに前記購入者端末から該購入した商品の商品コードを受信すると、該受信した商品コードに対応付けられた前記店舗固有コードを前記格納済みのものから抽出し、該抽出した店舗固有コードの店舗の口座に対して前記購入金額の一部を支払うよう決済処理を行うことを特徴とする請求項９記載のコーディネート情報提供システム。
【請求項１１】
商品の購入者により操作され、商品を特定する商品コードが記録されている商品コード記録媒体から前記商品コードを読み取る購入者端末と、
前記購入者端末とネットワークを介して接続され、前記購入者による商品の購入情報を管理する管理サーバとを有し、
前記購入者端末は、店舗固有の情報を店舗に設置される記録媒体から読み取り、該読み取った情報を前記商品コードとともに前記管理サーバへ送信し、
前記管理サーバは、前記購入者端末から受信した店舗固有の情報と商品コードとを対応付けて格納することを特徴とする読取情報管理システム。
【請求項１２】
前記管理サーバは、前記購入者がＥＣサイトにおいて商品を購入したときに前記購入者端末から該購入した商品の商品コードを受信すると、該受信した商品コードに対応付けられた前記店舗固有コードを前記格納済みのものから抽出し、該抽出した店舗固有コードの店舗の口座に対して前記購入金額の一部を支払うよう決済処理を行うことを特徴とする請求項１１記載の読取情報管理システム。
【発明の詳細な説明】
【技術分野】
【０００１】
本発明は、コーディネート情報提供システムに関し、特に、利用者に対して商品の詳細情報やその商品を使用するコーディネート例の情報を提供するコーディネート情報提供システム及び読取情報管理システムに関する。
【背景技術】
【０００２】
インターネットの普及に伴い、実店舗以外にＥＣサイトで商品を購入する消費者が増えている。
消費者は、ＰＣや携帯端末等を用いてそのＥＣサイトを利用することにより、購入した商品の配送サービスまで提供しているので、わざわざ遠く離れた店舗を訪れることなく、自宅に居ながら簡単にショッピングを楽しむことが可能となっている。
【０００３】
このようなＥＣサイトによるサービスは、ファッションの分野でも豊富に提供されている。
しかしながら、一方で、商品が服飾品の場合、日用品や書籍等とは異なり、実際に店舗を訪れて服飾品の現物を手に取ったり、試着したりして色や素材、サイズ等を確かめたい消費者も多くいる。
【０００４】
上記のようなファッションの分野において、ＥＣサイトが提供するサービスと実店舗が提供するサービスを結びつける従来技術として、特許文献１が開示するところの携帯端末、商品サービス装置、及び端末制御プログラムを記憶した記憶媒体、商品サービス制御プログラムを記憶した記憶媒体（以下、特許文献１に記載の発明という）が提案されている。
特許文献１に記載の発明では、顧客はデパートを訪れ、そのデパートに設けられている接客端末を操作して、そのデパートの商品のタグに記録されているバーコードを読み取ると、その商品を示すバーコード情報が顧客の携帯端末に送信される。そして、顧客は、その携帯端末に送信されたバーコード情報をサーバへ送信すると、そのバーコード情報で特定される商品の情報をサーバから取得し、またＥＣサイト上でその商品を購入することができる。
さらに、顧客は上記サーバから取得した商品の情報を自宅へ持ち帰り、再検討の後、再度サーバへアクセスしてＥＣサイト上で発注・決済を行うことも、また、再検討の後、携帯端末とシンクロされる自宅ＰＣからインターネット経由でサーバへアクセスしてＥＣサイト上で発注・決済を行うことも可能である。
【先行技術文献】
【特許文献】
【０００５】
【特許文献１】特開２００２−１０９３０２
【発明の概要】
【発明が解決しようとする課題】
【０００６】
しかしながら、上記特許文献１に記載の発明において、顧客は、自分に合った商品を適切に購入できないおそれがある。
すなわち、顧客は、購入した当時はその商品を気に入ってたものの、素材や色の面で既に自分の持っている服と合わせずらかったりして、その後着用する機会が減ってしまうことがある。
【０００７】
本発明は、上記問題点に鑑みてなされたものであり、他の商品とのコーディネートも含め購入に最適な商品を利用者（顧客）が適切に選択することを支援するコーディネート情報提供システム及び読取情報管理システムを提供することを目的とする。
【課題を解決するための手段】
【０００８】
（コーディネート情報の提供）
かかる目的を達成するため、本発明におけるコーディネート情報提供システムは、商品を特定する商品コードが記録されている商品コード記録媒体から商品コードを読み取る購入者端末と、購入者端末とネットワークを介して接続され、コーディネート例を示すコーディネート情報とコーディネート例に使用される商品の情報とを対応付けて管理する管理サーバとを有し、管理サーバは、読み取られた商品コードを購入者端末から受信すると、受信した商品コードに対応した商品が使用されたコーディネート例を示すコーディネート情報を購入者端末へ送信することを特徴とする。
【０００９】
（商品情報の提供）
また、本発明におけるコーディネート情報提供システムによれば、管理サーバは、商品コードを購入者端末から受信すると、受信した商品コードに対応した商品情報を購入者端末へ送信し、購入者端末は、商品情報を管理サーバから受信すると、受信した商品情報を表示することを特徴とする。
【００１０】
（ＷＡＮＴ・ＨＡＶＥリスト）
また、本発明におけるコーディネート情報提供システムによれば、購入者端末は、商品コードと、商品コードに対応した商品を購入予定又は購入済みである旨の情報とを管理サーバへ送信し、管理サーバは、商品コードと、商品を購入予定又は購入済みである旨の情報とを購入者端末から受信すると、商品コードに基づいて商品情報を抽出し、抽出した商品情報に基づいて、購入予定の商品のリスト又は購入済みの商品のリストを作成し、購入者端末からの要求に応じて作成したリストを送信することを特徴とする。
【００１１】
（ＷＡＮＴ・ＨＡＶＥリスト）
また、本発明におけるコーディネート情報提供システムによれば、管理サーバは、商品情報に商品を購入予定又は購入済みである旨の情報を対応付けて格納し、購入者端末からの要求に応じて格納した情報を送信することを特徴とする。
【００１２】
（マーケットプレイス）
また、本発明におけるコーディネート情報提供システムによれば、管理サーバは、購入済みの商品のリストに掲載された商品の販売を許可する旨の情報を購入者端末から受信すると、販売が許可された商品の販売用のページを作成し、作成したページをネットワークを介してアクセス可能な状態にすることを特徴とする。
【００１３】
（クローラ）
また、本発明におけるコーディネート情報提供システムによれば、管理サーバは、商品の製造元又は販売元のＷｅｂページを巡回して商品情報を抽出して格納することを特徴とする。
【００１４】
（情報提供者端末）
また、本発明におけるコーディネート情報提供システムによれば、コーディネート情報を管理サーバへ送信して登録する情報提供者端末をさらに有することを特徴とする。
【００１５】
（同一ユーザのコーディネート情報）
また、本発明におけるコーディネート情報提供システムによれば、管理サーバは、情報提供者端末を操作する情報提供者が提供した２以上のコーディネート情報を互いに対応付けて格納し、購入者端末からの要求に応じて格納した情報を送信することを特徴とする。
【００１６】
また、本発明におけるコーディネート情報提供システムによれば、購入者端末は、店舗固有の情報を店舗に設置される記録媒体から読み取り、読み取った情報を商品コードとともに管理サーバへ送信し、管理サーバは、購入者端末から受信した店舗固有の情報と商品コードとを対応付けて格納することを特徴とする。
【００１７】
また、本発明におけるコーディネート情報提供システムによれば、管理サーバは、購入者がＥＣサイトにおいて商品を購入したときに購入者端末から購入した商品の商品コードを受信すると、受信した商品コードに対応付けられた店舗固有コードを格納済みのものから抽出し、抽出した店舗固有コードの店舗の口座に対して購入金額の一部を支払うよう決済処理を行うことを特徴とする。
【００１８】
また、本発明における読取情報管理システムは、商品の購入者により操作され、商品を特定する商品コードが記録されている商品コード記録媒体から商品コードを読み取る購入者端末と、購入者端末とネットワークを介して接続され、購入者による商品の購入情報を管理する管理サーバとを有し、購入者端末は、店舗固有の情報を店舗に設置される記録媒体から読み取り、読み取った情報を商品コードとともに管理サーバへ送信し、管理サーバは、購入者端末から受信した店舗固有の情報と商品コードとを対応付けて格納することを特徴とする。
【００１９】
また、本発明における読取情報管理システムによれば、管理サーバは、購入者がＥＣサイトにおいて商品を購入したときに購入者端末から購入した商品の商品コードを受信すると、受信した商品コードに対応付けられた店舗固有コードを格納済みのものから抽出し、抽出した店舗固有コードの店舗の口座に対して購入金額の一部を支払うよう決済処理を行うことを特徴とする。
【００２０】
なお、以上の構成要素の任意の組合せや、本発明の構成要素や表現を方法、装置、システム、コンピュータプログラム、コンピュータプログラムを格納した記録媒体などの間で相互に置換したものもまた、本発明の態様として有効である。
【発明の効果】
【００２１】
本発明におけるコーディネート情報提供システムによれば、商品を特定する商品コードが記録されている商品コード記録媒体から商品コードを読み取る購入者端末と、購入者端末とネットワークを介して接続され、コーディネート例を示すコーディネート情報とコーディネート例に使用される商品の情報とを対応付けて管理する管理サーバとを有し、管理サーバは、読み取られた商品コードを購入者端末から受信すると、受信した商品コードに対応した商品が使用されたコーディネート例を示すコーディネート情報を購入者端末へ送信するので、他の商品とのコーディネートも含め購入に最適な商品を購入者が適切に選択することを支援するコーディネート情報提供システムを提供することを目的とする。
【００２２】
また、本発明における読取情報管理システムによれば、商品の購入者により操作され、商品を特定する商品コードが記録されている商品コード記録媒体から商品コードを読み取る購入者端末と、購入者端末とネットワークを介して接続され、購入者による商品の購入情報を管理する管理サーバとを有し、購入者端末は、店舗固有の情報を店舗に設置される記録媒体から読み取り、読み取った情報を商品コードとともに管理サーバへ送信し、管理サーバは、購入者から受信した店舗固有の情報と商品コードとを対応付けて格納するので、
購入者がＥＣサイトで商品を購入した際、当該商品を以前どの店舗でチェックしたかを容易に確認でき、どの店舗がＥＣサイトでの販売にどのくらい貢献したかを容易に把握することが可能となる。
【図面の簡単な説明】
【００２３】
【図１】本発明の第１の実施の形態におけるコーディネート情報提供システムの構成を示す図である。
【図２】本発明の第１の実施の形態における購入者端末の構成を示す図である。
【図３】本発明の第１の実施の形態における管理サーバの構成を示す図である。
【図４】本発明の第１の実施の形態におけるユーザＤＢが管理するデータ構成の一例を示す図である。
【図５】本発明の第１の実施の形態における商品ＤＢが管理するデータ構成の一例を示す図である。
【図６】本発明の第１の実施の形態におけるコーディネートＤＢが管理するデータ構成の一例を示す図である。
【図７】本発明の第１の実施の形態における情報提供者端末の構成を示す図である。
【図８】本発明の第１の実施の形態における管理事業者端末の構成を示す図である。
【図９】本発明の第１の実施の形態におけるユーザ情報の登録動作の流れを示すシーケンスチャートである。
【図１０】本発明の第１の実施の形態におけるコーディネート情報の提供動作の流れを示すシーケンスチャートである。
【図１１】本発明の第１の実施の形態におけるコーディネート情報の提供動作の流れを示すシーケンスチャートである。
【図１２】本発明の第１の実施の形態におけるメニュー画面の一例を示す図である。
【図１３】本発明の第１の実施の形態におけるコーディネート情報管理画面の一例を示す図である。
【図１４】本発明の第１の実施の形態におけるコーディネート情報の編集画面の一例を示す図である。
【図１５】本発明の第１の実施の形態におけるコーディネート情報の編集画面の一例を示す図である。
【図１６】本発明の第１の実施の形態における商品検索画面の一例を示す図である。
【図１７】本発明の第１の実施の形態における商品選択後のコーディネート情報の編集画面の一例を示す図である。
【図１８】本発明の第１の実施の形態における商品情報及びコーディネート情報の取得動作の流れを示すシーケンスチャートである。
【図１９】本発明の第１の実施の形態における商品情報及びコーディネート情報の取得動作の流れを示すシーケンスチャートである。
【図２０】本発明の第１の実施の形態における読取画面の一例を示す図である。
【図２１】本発明の第１の実施の形態における商品の画面情報の表示画面の一例を示す図である。
【図２２】本発明の第１の実施の形態における購入者端末に表示されるコーディネート情報の一例である。
【図２３】本発明の第１の実施の形態における表示されるコーディネート詳細情報の一例である。
【図２４】本発明の第１の実施の形態におけるその他のコーディネート情報の取得動作の流れを示すシーケンスチャートである。
【図２５】本発明の第１の実施の形態における情報提供者が提供したコーディネート例に対して「いいね」の評価を行う際の動作の流れを示すシーケンスチャートである。
【図２６】本発明の第１の実施の形態における情報提供者が提供したコーディネート例に対して「コメント」の評価を行う際の動作の流れを示すシーケンスチャートである。
【図２７】本発明の第１の実施の形態における情報提供者が提供したコーディネート例に対して「お気に入り」の評価を行う際の動作の流れを示すシーケンスチャートである。
【図２８】本発明の第１の実施の形態におけるお気に入りで管理されたコーディネート情報の閲覧動作の流れを示すシーケンスチャートである。
【図２９】本発明の第１の実施の形態におけるマイページの一例を示す図である。
【図３０】本発明の第１の実施の形態におけるコーディネート情報の一覧画面情報の一例を示す図である。
【図３１】本発明の第１の実施の形態における購入予定又は購入済の商品をユーザＤＢに登録する際の動作の流れを示すシーケンスチャートである。
【図３２】本発明の第１の実施の形態における購入予定又は購入済の商品を確認する際の動作の流れを示すシーケンスチャートである。
【図３３】本発明の第１の実施の形態における表示部に表示される購入予定商品リストの一例を示す図である。
【図３４】本発明の第１の実施の形態における購入済み商品リストの一例を示す図である。
【図３５】本発明の第１の実施の形態における購入者が商品をＥＣサイトから購入する際の動作の流れを示すシーケンスチャートである。
【図３６】本発明の第１の実施の形態における購入者が購入した商品を販売するために管理サーバ２０に登録する際の動作の流れを示すシーケンスチャートである。
【図３７】本発明の第１の実施の形態における商品販売ＤＢ２２４が管理するデータ構成の一例を示す図である。
【図３８】本発明の第１の実施の形態における商品販売ＤＢに登録された販売商品を購入者が購入する際の動作の流れを示すシーケンスチャートである。
【図３９】本発明の第１の実施の形態における商品販売用のページの一例を示す図である。
【図４０】本発明の第１の実施の形態における販売商品の情報が表示された商品の販売情報の一例を示す図である。
【図４１】本発明の第１の実施の形態におけるランキング情報の提供動作の流れを示すシーケンスチャートである。
【図４２】本発明の第１の実施の形態におけるユーザの端末に表示されるランキング情報の一例を示す図である。
【図４３】本発明の第２の実施の形態におけるコーディネート情報提供システムの構成を示す図である。
【図４４】本発明の第２の実施の形態における管理サーバの構成を示す図である。
【図４５】本発明の第２の実施の形態における店舗ＤＢが管理するデータ構成の一例を示す図である。
【図４６】本発明の第２の実施の形態におけるコード読取履歴ＤＢが管理するデータ構成の一例を示す図である。
【図４７】本発明の第２の実施の形態におけるコード情報の読取履歴の登録動作の流れを示すシーケンスチャートである。
【図４８】本発明の第２の実施の形態において、購入者が商品をＥＣサイトから購入する際の動作の流れを示すフローチャートである。
【発明を実施するための形態】
【００２４】
＜第１の実施の形態＞
（第１の実施の形態の概要）
本発明の第１の実施の形態におけるコーディネート情報提供システムでは、商品の購入者は、購入者端末を用いて、例えば、実店舗においてこれから購入しようとしている商品に付されているタグ等の商品コード記録媒体に印刷されているバーコード等を読み取ると、その商品の詳細な情報を管理サーバから取得し、画面上で確認できるように構成されている。
【００２５】
（第１の実施の形態の構成）
（１）コーディネート情報提供システムの全体構成
図１は、本発明の第１の実施の形態におけるコーディネート情報提供システムの構成を示す図である。
図に示すように、コーディネート情報提供システムは、商品を購入又は購入予定である購入者により操作される購入者端末１０と、商品の情報並びに購入者及び情報提供者の情報を管理するとともに、購入者端末１０へ商品の情報を提供する管理サーバ２０と、商品のコーディネート情報を管理サーバ２０へ提供する情報提供者により操作される情報提供者端末３０と、上記管理サーバ２０を管理する情報管理事業者が操作する管理事業者端末４０と、これら各端末及びサーバ１０，２０，３０，４０を通信可能に接続するネットワーク１００とを有して構成される。
【００２６】
本発明の第１の実施の形態におけるコーディネート情報提供システムは、上記のように構成されるので、商品の購入者は、購入者端末１０を用いて、例えば、実店舗においてこれから購入しようとしている商品に付されているタグ等の商品コード記録媒体Ｍに記録されているコード情報を読み取ると、その商品の詳細な情報（以下、商品情報という）をネットワーク１００を介して管理サーバ２０から取得し、画面上で確認することができる。
さらに、購入者は、購入者端末１０を操作して、その商品を使用したコーディネート例を示す情報（以下、コーディネート情報という）もネットワーク１００を介して管理サーバ２０から取得することができる。
一方、情報提供者は、情報提供者端末３０を操作して、上記コーディネート情報を管理サーバ２０へアップロードして登録することが可能である。
このように、本実施の形態では、購入者は、実店舗で実際に手にとって購入を検討している商品について、その商品個々の詳細な商品情報とともに、その商品と他の商品との組み合わせ例（コーディネート情報）をその場又はその後他の場所で確認できるので、購入者は、自身がその商品を身につけるイメージをしやすく、実際に自身に合った商品を適切に購入することができ、例えば自身が既に所有している衣服に合わないような商品を無駄に購入する機会を極力減らすことが可能となる。
【００２７】
なお、本実施の形態では、説明の便宜上、コーディネート情報を提供するのが情報提供者、そのコーディネート情報を参考に商品を購入するのが購入者というように両者を区別しているが、１人のユーザがコーディネート情報の提供及びそれを参考にした商品の購入の両方を行うこともある。すなわち、１人のユーザが購入者及び情報提供者のどちらでもある場合がある。
以下、単に「ユーザ」と記述したときには、「購入者」と「情報提供者」の双方を含むものとし、「ユーザの端末」と記述したときには「購入者端末１０」と「情報提供者端末３０」の双方を含むものとする。
【００２８】
（２）購入者端末１０の構成
以下、コーディネート情報提供システムの各構成要素についてそれぞれ詳細に説明する。
購入者端末１０は、商品を購入又は購入予定である購入者により操作される情報処理装置であって、例えば、スマートフォン、携帯電話機、ＰＤＡ、ＰＨＳ等の携帯端末やＰＣ等である。
購入者は、購入者端末１０を操作して、商品情報やその商品の組み合わせの一例を示すコーディネート情報を管理サーバ２０から取得する。
【００２９】
図２は、本発明の第１の実施の形態における購入者端末１０の構成を示す図である。
図に示すように、購入者端末１０は、ＣＰＵ等から構成され購入者端末１０全体の動作を制御する制御部１１と、入力した情報やネットワーク１００を介して受信した情報等を格納する情報格納部１２と、ネットワーク１００を介して情報の送受信を行う通信部１３と、ディスプレイ等から構成され情報を画面表示する表示部１４と、キー等から構成され情報の入力等を行う操作部１５と、カメラ等からなり商品コード記録媒体Ｍからバーコード等のコード情報を読み取る情報読取部１６とを有して構成される。
【００３０】
上記商品コード記録媒体Ｍは、例えば、店舗等において販売される商品に付されるタグであってもよいし、店舗においてその商品に対応して置かれた物品（パネル、ポスター、台座等）であってもよい。この場合、これらタグやその他物品等には、コード情報として、バーコード、２次元バーコード、文字、図形等が印刷等の方法で記録されている。
購入者端末１０の情報読取部１６は、光学スキャナ機能を用いて、これらコード情報を読み取る。また、情報読取部１６は、商品全体又は一部の形状自体を読み取り、その形状に基づいて商品コードを認識するようにしてもよい。
また、商品コード記録媒体Ｍは、近距離無線通信が可能な電子タグ等の情報記録媒体であってもよい。この場合、電子タグにはコード情報として商品コードが書き込まれており、情報読取部１６は、近距離無線通信機能を用いて、その商品コードを商品コード記録媒体Ｍから読み取る。
【００３１】
（３）管理サーバ２０の構成
管理サーバ２０は、上記商品情報及びコーディネート情報、さらには各ユーザ（購入者、情報提供者）の個人情報（以下、ユーザ情報という）の管理を行う情報管理事業者により管理されるサーバ装置である。
管理サーバ２０は、上記ユーザ情報、商品情報及びコーディネート情報に基づいて上記ユーザ及び商品等に関するＷｅｂページを作成してインターネット上に公開する。
それら各Ｗｅｂページの詳細および具体例については、図面を用いながら後述する。
【００３２】
また、管理サーバ２０は、上記作成したＷｅｂページ等を介して情報提供者端末３０から提供されるコーディネート情報を蓄積し、このコーディネート情報を予め格納している商品情報及び個人情報と関連付けてデータベースで管理し、同じく上記作成したＷｅｂページ等を介する購入者端末１０からの要求に応じて、商品情報、コーディネート情報及び個人情報の送信を行う。
【００３３】
図３は、本発明の第１の実施の形態における管理サーバ２０の構成を示す図である。
図に示すように、管理サーバ２０は、ＣＰＵ等から構成され管理サーバ２０全体の動作を制御する制御部２１と、ユーザ情報、商品情報及びコーディネート情報のデータベースを格納する情報格納部２２と、ネットワーク１００を介して情報の送受信を行う通信部２３とを有して構成される。
【００３４】
図に示すように、情報格納部２２は、ユーザ情報を管理するユーザデータベース（ＤＢ）２２１と、商品情報を管理する商品データベース（ＤＢ）２２２と、コーディネート情報を管理するコーディネートデータベース（ＤＢ）２２３と、ユーザ間で販売される商品の情報を管理する商品販売データベース（ＤＢ）２２４とを格納している。
また、図示されていないが、情報格納部２２は、各ユーザ、商品及びコーディネート例の画像や上記Ｗｅｂページその他各種情報についても格納している。
【００３５】
図４は、本発明の第１の実施の形態におけるユーザＤＢ２２１が管理するデータ構成の一例を示す図である。
ユーザＤＢ２２１は、商品を購入する又は購入予定である購入者と、コーディネート情報を提供する情報提供者との個人情報であるユーザ情報を管理するデータベースである。
図に示すように、ユーザＤＢ２２１は、各ユーザ（購入者及び情報提供者）を識別する固有のユーザＩＤに対応付けて、各種個人情報を管理する。
管理サーバ２０は、これら個人情報の一部を含む、インターネット上で閲覧可能なマイページという各ユーザごとのＷｅｂページを公開する。
図に示すように、その管理する個人情報としては、例えば、上記マイページで公開されるユーザのアカウント名、氏名、性別、身長、メールアドレス、住所、電話番号及び所属（勤務先の店舗・ブランド等）といった一般的な個人情報の他、本システム特有の個人情報も含まれる。
その本システム特有の個人情報には、例えば、各ユーザが購入を検討している商品の商品コード（ＷＡＮＴ）、各ユーザが実際に購入した商品の商品コード（ＨＡＶＥ）、及び各ユーザのお気に入りのコーディネート例のコーディネートＩＤ（お気に入り）が含まれる。
また、情報格納部２２には、上記ユーザＩＤに対応付けて各ユーザの画像情報（サムネイル画像も含む）が格納されている。このユーザの画像情報はユーザアイコンとして使用される。
【００３６】
図５は、本発明の第１の実施の形態における商品ＤＢ２２２が管理するデータ構成の一例を示す図である。
商品ＤＢ２２２は、各商品を識別する固有の商品コードに対応付けて、購入者が購入する又は購入予定である商品である商品の情報である商品情報を管理するデータベースである。
図に示すように、その管理する商品情報としては、例えば、その商品を提供するブランド名、商品名、その商品のカテゴリ、その商品の色、価格、サイズ、その商品の詳細説明が含まれる。
また、情報格納部２２には、上記商品コードに対応付けて各商品の画像情報（サムネイル画像も含む）が商品情報として格納されている。
【００３７】
上記商品情報は、例えば、ＰＣ等である管理事業者端末４０により入力及び送信され、商品ＤＢ２２２に登録される。
その他、管理サーバ２０（制御部２１）が、いわゆるクローラとして機能し、商品情報が掲載されているＷｅｂサイトを巡回し、その巡回したＷｅｂサイトから商品情報を取得して商品ＤＢ２２２に登録するように構成することもできる。
この場合、管理サーバ２０は、予め設定されたＵＲＬ及びそのＵＲＬにリンクされているＷｅｂサイト（例えば、商品を販売元・製造元のブランド会社や店舗のＷｅｂサイト（ＥＣサイトを含む））を定期的に巡回し、新しく作成されたＷｅｂページや更新されたＷｅｂページを取得し、これら取得したＷｅｂページを情報格納部２２に格納する。
そして、管理サーバ２０は、その格納したＷｅｂページを解析して、商品情報を構成する各項目（テキスト情報、画像等）を抽出して商品ＤＢ２２２等に登録する。
また、情報管理事業者は、予め上記ブランド会社や店舗側と連絡をとり、商品コード（テキスト、バーコード・２次元コード等の画像）を自社又は自店舗のＷｅｂページに掲載しておくようにすることが好ましい。
【００３８】
図６は、本発明の第１の実施の形態におけるコーディネートＤＢ２２３が管理するデータ構成の一例を示す図である。
コーディネートＤＢ２２３は、各コーディネート例（コーディネート情報）を識別する固有のコーディネートＩＤに対応付けて、情報提供者が提供するコーディネート例を示すコーディネート情報を管理するデータベースである。
図に示すように、その管理するコーディネート情報としては、例えば、そのコーディネート情報の状態（Ｗｅｂ上での公開の有無）、そのコーディネート例に使用された商品の商品コード、そのコーディネート例を説明する本文（テキスト情報）等が含まれる。
また、図に示すように、各コーディネートＩＤには、当該ＩＤのコーディネート情報を提供したユーザＩＤが対応付けられており、コーディネートＤＢ２２３では、各コーディネート情報がどの情報提供者から提供されたかが管理されている。
また、図に示すように、コーディネートＤＢ２２３には、そのコーディネート例に対する評価（「いいね」、「コメント」、「お気に入り」）の履歴が各コーディネートＩＤに対応付けて管理されている。
この評価履歴は、例えば、評価したユーザのユーザＩＤと、評価時期とから構成される。
さらに、情報格納部２２には、上記コーディネートＩＤに対応付けて各コーディネート例の画像情報が格納されている。
【００３９】
なお、商品販売ＤＢ２２４については後ほど詳述する。
【００４０】
（４）情報提供者端末３０の構成
情報提供者端末３０は、商品のコーディネート情報を提供する情報提供者により操作される情報処理装置であって、例えば、スマートフォン、携帯電話機、ＰＤＡ、ＰＨＳ等の携帯端末やＰＣ等である。
情報提供者は、情報提供者端末３０を操作して、コーディネート例を撮影したりテキスト情報を入力したり等してコーディネート情報を入力し、ネットワーク１００を介して管理サーバ２０へアップロードする。
【００４１】
図７は、本発明の第１の実施の形態における情報提供者端末３０の構成を示す図である。
図に示すように、情報提供者端末３０は、購入者端末１０とほぼ同様の構成であり、ＣＰＵ等から構成され情報提供者端末３０全体の動作を制御する制御部３１と、入力した情報やネットワーク１００を介して受信した情報等を格納する情報格納部３２と、ネットワーク１００を介して情報の送受信を行う通信部３３と、ディスプレイ等から構成され情報を画面表示する表示部３４と、キー等から構成され情報の入力等を行う操作部３５と、商品の識別情報（バーコード等）を読み取る情報読取部３６と、カメラ等を備えコーディネート例の画像等を撮影する撮影部３７とを有して構成される。
【００４２】
（５）管理事業者端末４０の構成
管理事業者端末４０は、管理サーバ２０を管理する情報管理事業者により操作される情報処理装置であって、例えば、ＰＣやその他携帯端末である。
情報管理事業者は、管理サーバ２０の情報管理又はメンテナンス等を目的として、管理事業者端末４０を操作して、管理サーバ２０へ情報の入力を行ったり、管理サーバ２０で管理されている情報を確認したりする。
【００４３】
図８は、本発明の第１の実施の形態における管理事業者端末４０の構成を示す図である。
図に示すように、管理事業者端末４０は、購入者端末１０とほぼ同様の構成であり、ＣＰＵ等から構成され管理事業者端末４０全体の動作を制御する制御部４１と、入力した情報やネットワーク１００を介して受信した情報等を格納する情報格納部４２と、ネットワーク１００を介して情報の送受信を行う通信部４３と、ディスプレイ等から構成され情報を画面表示する表示部４４と、キー等から構成され情報の入力等を行う操作部４５とを有して構成される。
【００４４】
＜動作＞
（１）ユーザ情報の登録動作
まず、購入者及び情報提供者は、それぞれ自身の端末１０，３０を用いて、自身の個人情報であるユーザ情報を管理サーバ２０へ送信して登録する。
なお、購入者及び情報提供者は、そのユーザ情報の登録に先んじて、本実施の形態におけるコーディネート情報提供システムが提供するサービスを利用するために、アプリ（ソフトウェア）を自身の端末１０，３０にインストール（実装）させている。
そのインストール方法は、一般のソフトウェアと同様に、ＣＤ−ＲＯＭ等の記録媒体からしたり、ダウンロードしたり等することにより行われる。
図９は、本発明の第１の実施の形態におけるユーザ情報の登録動作の流れを示すシーケンスチャートである。
以下、図に沿って、購入者が登録する場合を例にしてユーザ情報の登録動作について説明を進める。
【００４５】
まず、購入者は、購入者端末１０の操作部１５を操作して、自身のユーザ情報を入力する（ステップＳ１０１）。
ここで、入力するユーザ情報は、例えば、アカウント名、氏名、性別、身長、メールアドレス、住所、電話番号等である。
【００４６】
購入者端末１０は、上記入力したユーザ情報を管理サーバ２０へ送信する（ステップＳ１０２）。
【００４７】
管理サーバ２０は、そのユーザ情報を購入者端末１０から受信すると、その購入者に対して固有のユーザＩＤを発行し（ステップＳ１０３）、その発行したユーザＩＤに対応付けて、購入者端末１０から受信した個人情報をユーザ情報として、ユーザＤＢ２２１に登録する（ステップＳ１０４）。
【００４８】
次に、管理サーバ２０は、上記登録したユーザ情報に基づいて、その購入者専用のマイページを作成し（ステップＳ１０５）、その作成したマイページをＷｅｂ公開可能に情報格納部２２に格納する（ステップＳ１０６）。
以上でユーザ情報の登録動作が終了する。
ここで作成されたマイページは、ユーザ個々のＷｅｂページであり、ユーザ名等のプロフィール情報、関心のある商品、提案したコーディネート例等が表示されている。そのページ構成の詳細については後ほど説明する。
【００４９】
以上、購入者がユーザ情報を登録するときの動作を例に説明したが、情報提供者も同様のステップで登録することができる。このとき、情報提供者は、情報提供者端末３０を用いて、ユーザ情報を管理サーバ２０へ送信して登録する。
【００５０】
（２）コーディネート情報の提供動作
上記のようにしてユーザ情報の登録を完了した情報提供者は、情報提供者端末３０を用いて、コーディネート情報を入力し管理サーバ２０へアップロードすることが可能となる。
なお、情報提供者端末３０には、コーディネート情報を提供するためのアプリ（ソフトウェア）が事前に実装されている。
図１０，１１は、本発明の第１の実施の形態におけるコーディネート情報の提供動作の流れを示すシーケンスチャートである。
以下、図に沿って、コーディネート情報の提供動作について説明を進める。
【００５１】
まず、情報提供者は、情報提供者端末３０を用いて、上記コーディネート情報の提供アプリを起動し、メニュー画面を表示部３４上に表示させる（ステップＳ２０１）。
【００５２】
図１２は、そのメニュー画面の一例を示す図である。
このメニュー画面は、当該情報提供者端末３０に実装されるアプリで表示されるものと、後述の購入者端末１０に実装される商品情報やコーディネート情報等の取得アプリ（ソフトウェア）で表示されるものとで共通であるとしてよい。
図に示すように、メニュー画面上には、ユーザ名１０１とともに、各種ボタン１０２〜１０８が表示されている。
ここで、これらボタン１０２〜１０８の機能について説明すると、マイページボタン１０２を押下又は選択すると、画面表示が当該端末１０，３０のユーザのマイページ画面へ移行する。
検索ボタン１０３を押下又は選択すると、画面表示が商品の検索画面へ移行する。
バーコードスキャンボタン１０４を押下又は選択すると、商品に付されている商品コード記録媒体Ｍに記録されているコード情報（商品コード）を読み取る。
情報提供者端末３０においてカメラボタン１０５を押下又は選択すると、撮影部３６がコーディネート例等を撮影する。
情報提供者端末３０においてコーディネート情報管理ボタン１０６を押下又は選択すると、画面表示がコーディネート例（コーディネート情報）の編集画面へ移行する。コーディネート情報の編集画面とは、後ほど図面を用いて詳述するが、情報提供者が提供するコーディネート情報の入力、編集及び管理を行うための画面である。
購入者端末１０においてコーディネート情報お気に入りボタン１０７を押下又は選択すると、画面表示がお気に入りコーディネート情報画面へ移行する。お気に入りコーディネート情報画面とは、後ほど図面を用いて詳述するが、購入者が自身が気に入ったり興味を持ったりしたコーディネート情報を保存及び管理するための画面である。
ランキングボタン１０８を押下又は選択すると、画面表示が情報提供者のランキング画面へ移行する。ランキング画面とは、後ほど図面を用いて詳述するが、お気に入りのコーディネート情報として購入者に支持された数の上位の情報提供者のランキングを表す画面である。
【００５３】
図１２に示すメニュー画面において、情報提供者が操作部３５を用いてカメラボタン１０５を選択すると（ステップＳ２０２）、撮影部３６のカメラが起動する（ステップＳ２０３）。情報提供者は、その情報提供者端末３０のカメラ機能を用いて、商品を着用等した人物をコーディネート例として撮影する（ステップＳ２０４）。
情報提供者端末３０は、その撮影したコーディネート例の画像を情報格納部３２に一旦格納する（ステップＳ２０５）。
【００５４】
次に、情報提供者は、操作部３５を用いて、メニュー画面（図１１）においてコーディネート情報管理ボタン１０６を選択すると、表示部３４はコーディネート情報管理画面を表示する（ステップＳ２０６）。
【００５５】
図１３は、そのコーディネート情報管理画面の一例を示す図である。
図に示すように、コーディネート情報管理画面には、
コーディネート情報を新規登録するためのコーディネート情報の新規登録ボタン１２１と、
各状態（Ｗｅｂ上に公開済みであるか、まだ未公開であるか等）のコーディネート情報を画面表示させるためのコーディネート情報の状態ボタン１２２と、その状態ボタン１２２により選択された状態のコーディネート情報のサムネイル画像一覧であるサムネイル画像１２３とが表示されている。
【００５６】
このコーディネート情報管理画面において、情報提供者は、操作部３５を用いて、上記新規登録ボタン１２６を選択すると、表示部３４はコーディネート情報の編集画面を表示する（ステップＳ２０７）。
【００５７】
図１４は、そのコーディネート情報の編集画面の一例を示す図である。
図に示すように、コーディネート情報の編集画面には、コーディネート例の画像の保存先を入力する画像入力欄１３１と、その画像入力欄１３１に入力された保存先のコーディネート例の画像を管理サーバ２０へアップロードするアップロードボタン１３２とが表示されている。
情報提供者は、操作部３５を用いて、画像入力欄１３１に撮影したコーディネート例の画像の保存先を入力し（ステップＳ２０８）、アップロードボタン１３２を押下すると、情報提供者端末３０は、その保存先に保存されているコーディネート例の画像を情報提供者のユーザＩＤを対応付けて管理サーバ２０へ送信する（ステップＳ２０９）。
【００５８】
管理サーバ２０は、そのコーディネート例の画像情報を情報提供者のユーザＩＤとともに情報提供者端末３０から受信すると、その受信した画像情報に対して固有のコーディネートＩＤを発行し（ステップＳ２１０）、この発行したコーディネートＩＤに上記受信したユーザＩＤを対応付けて情報格納部２２のコーディネートＤＢ２２３にコーディネート情報として登録する（ステップＳ２１１）。
また、管理サーバ２０は、受信したコーディネート例の画像をコーディネート画像として上記発行したコーディネートＩＤに対応付けて情報格納部２２に格納するとともに、このコーディネート画像に基づいて作成したサムネイル画像も同様にコーディネートＩＤに対応付けて格納する（ステップＳ２１２）。
ここで、新規登録されたコーディネート情報は、まだＷｅｂ上で未公開なので、「下書き」の状態で登録されている。
【００５９】
その後、情報提供者は、操作部３５を用いて、再度上記コーディネート情報管理画面を表示させ（ステップＳ２１３）、そのコーディネート情報管理画面において状態ボタン１２２のうち「下書き」を選択すると、状態が「下書き」であるコーディネート情報の取得要求を管理サーバ２０へ送信する（ステップＳ２１４）。
管理サーバ２０は、その情報の取得要求を情報提供者端末３０から受信すると、状態が「下書き」であるコーディネート情報のサムネイル画像を情報格納部２２から抽出して情報提供者端末３０へ送信する（ステップＳ２１５）。
情報提供者端末３０は、そのサムネイル画像を管理サーバ２０から受信すると、上記コーディネート情報管理画面において、上記新規登録したコーディネート情報を含むＷｅｂ未公開のコーディネート情報のサムネイル画像１２３が表示される（ステップＳ２１６）。
【００６０】
情報提供者は、操作部３５を用いて、表示されているサムネイル画像１２３のうち上記新規登録したコーディネート情報に該当するものを選択すると、情報提供者端末３０はその新規登録したコーディネート情報の取得要求を管理サーバ２０へ送信する（ステップＳ２１７）。
管理サーバ２０は、その新規登録したコーディネート情報の取得要求を情報提供者端末３０から受信すると、該当するコーディネート情報を情報格納部２２から抽出して情報提供者端末３０へ送信する（ステップＳ２１８）。
【００６１】
情報提供者端末３０は、上記コーディネート情報を管理サーバ２０から受信すると、そのコーディネート情報の編集画面を表示部３４において表示する（ステップＳ２１９）。
【００６２】
図１５は、そのコーディネート情報の編集画面の一例を示す図である。
図に示すように、コーディネート情報の編集画面には、上述した画像入力欄１３１及びアップロードボタン１３２の他、上記コーディネートＩＤに対応付けて管理サーバ２０に格納されたコーディネート画像１３３と、そのコーディネート画像で着用等されている商品を入力するための商品情報入力ボタン１３４と、当該コーディネート情報の編集中のテキスト情報である編集詳細情報１３５と、当該コーディネート情報がＷｅｂ公開済みか否かを示す状態情報１３６とが表示されている。
【００６３】
図に示すように、コーディネート例の画像が管理サーバ２０に登録されると、コーディネート情報の編集画面上にその画像１３３が表示されるようになる。
次に、情報提供者は、操作部３５を用いて、コーディネート情報に関するテキスト情報を編集詳細情報１３５として入力する（ステップＳ２２０）。
ここで入力される編集詳細情報１３５は、例えば、そのコーディネート情報の内容を説明する本文、コーディネート対象又は画像中のモデルの性別、身長、サイズ等である。
【００６４】
次に、情報提供者は、操作部３５を用いて、当該コーディネート情報に使用された商品の情報を入力する。
具体的には、情報提供者は、操作部３５を用いて、商品情報入力ボタン１３４を選択すると、表示部３４は商品検索画面を表示する（ステップＳ２２１）。
図１６は、その商品検索画面の一例を示す図である。
図に示すように、商品検索画面には、商品の検索条件を入力するための検索条件欄１４１と、その検索条件欄１４１で入力した条件で検索した結果を示す検索結果１４２と、その検索結果１４２に示された１以上の商品からコーディネート例に使用した商品を選択するための商品情報選択欄１４３とが表示されている。
上記検索条件欄１４１には、例えば、図に示すように、商品コード、商品名、性別（男性、女性、子供）、販売価格、タイプ、ブランドの品番、価格タイプ（セール品かどうか）等の検索条件を入力して検索することができる。
【００６５】
情報提供者は、操作部３５を用いて、上記商品検索画面において検索条件欄１４１に検索条件を入力し（ステップＳ２２２）、その入力した検索条件の情報を管理サーバ２０へ送信する（ステップＳ２２３）。
管理サーバ２０は、その検索条件の情報を情報提供者端末３０から受信すると、商品ＤＢ２２２を参照して当該検索条件に合致した商品情報を抽出し（ステップＳ２２４）、抽出した商品情報を情報提供者端末３０へ送信する（ステップＳ２２５）。
【００６６】
情報提供者端末３０は、上記商品情報を管理サーバ２０から受信すると、図１５に示すように、その受信した商品情報を上記検索結果１４２として商品検索画面上に表示する（ステップＳ２２６）。
ここで、情報提供者は、操作部３５を用いて、商品検索画面上の検索結果１４２に表示される１以上の商品のうち、今回コーディネート例に使用した商品の商品情報選択欄１４３にチェックを入れる等して選択すると（ステップＳ２２７）、その選択した商品の商品コードを管理サーバ２０へ送信する（ステップＳ２２８）。
管理サーバ２０は、その商品コードを情報提供者端末３０から受信すると、その商品コードに対応した商品情報を商品ＤＢ２２２等から抽出し（ステップＳ２２９）、その抽出した商品情報を該当するコーディネート情報に対応付けてコーディネートＤＢ２２３に登録する（ステップＳ２３０）。
【００６７】
このように、情報提供者がコーディネート例に使用された商品の選択するごとに、管理サーバ２０はコーディネート情報に商品情報を対応付けて登録する。
図１７は、商品選択後のコーディネート情報の編集画面の一例を示す図である。
図に示すように、コーディネート情報の編集画面には、商品検索画面において選択された商品を示す選択商品情報１３７が表示されている。
【００６８】
上記の商品選択を繰り返して最後の商品の選択が完了した後にそのコーディネート情報をアップロードして、コーディネート情報の提供動作が終了する。
このとき、状態情報１３６は「下書き」から「公開」に更新される。
【００６９】
以上のように、情報提供者は、情報提供者端末３０を用いて、コーディネート例に使用した商品の情報を検索し、その検索した商品情報をコーディネート例の画像等に対して対応付けて管理サーバ２０に登録するので、情報提供者は、非常に簡単な操作で自身のおすすめのコーディネート例を購入者等へ提供することが可能となる。
【００７０】
以上説明した実施の形態では、検索条件欄１４１にキーワード等の入力を行って商品情報を取得していたが、その他の方法で商品情報を取得するようにしてもよい。
例えば、情報提供者端末３０の情報読取部３６を用いて、商品に付されているタグに印刷されているバーコード等を読み取ることにより、コーディネート情報に対応付けする商品情報を取得するようにしてもよい。
【００７１】
（３）商品情報及びコーディネート情報の取得動作
上記のようにしてコーディネート情報が管理サーバ２０に登録されると、購入者は、購入者端末１０を用いて、購入予定又は購入済みの商品の商品情報に加えて、その商品を使用したコーディネート情報の取得も可能となる。
図１８，１９は、本発明の第１の実施の形態における商品情報及びコーディネート情報の取得動作の流れを示すシーケンスチャートである。
以下、図に沿って、購入者が商品情報及びコーディネート情報を取得する際の動作について説明を進める。
【００７２】
まず、購入者は、商品が並べられている店舗を訪れ、購入者端末１０を用いて、図１１に示すメニュー画面のバーコードスキャンボタン１０４を選択すると、表示部１４は、読取画面を表示する（ステップＳ３０１）。
図２０は、その読取画面の一例を示す図である。
図に示すように、購入者は、購入者端末１０の情報読取部１６を用いて、自身が購入を予定している商品に対応する商品コード記録媒体Ｍに記録されているコード情報（バーコード、２次元バーコード、テキスト）を用いて読み取る（ステップＳ３０２）。
購入者端末１０は、その読み取ったコード情報を商品コードに変換し、その変換した商品コードを管理サーバ２０へ送信する（ステップＳ３０３）。
【００７３】
管理サーバ２０は、その商品コードを購入者端末１０から受信すると、情報格納部２２の商品ＤＢ２２２を参照し、その受信した商品コードの商品情報を抽出するとともに（ステップＳ３０４）、商品ＤＢ２２２及びコーディネートＤＢ２２３等を参照してその商品を使用したコーディネート例のサムネイル画像を抽出する（ステップＳ３０５）。
さらに、管理サーバ２０は、ユーザＤＢ２２１及び商品ＤＢ２２２等を参照して、上記受信した商品コードの商品の購入を検討しているユーザ（ＷＡＮＴ）と、既に購入済みのユーザ（ＢＵＹ）とを抽出し（ステップＳ３０６）、この抽出したユーザの情報と上記抽出した商品情報及びサムネイル画像を用いて商品の画面情報を作成する（ステップＳ３０７）。
そして、管理サーバ２０は、その作成した商品の画面情報を購入者端末１０へ送信する（ステップＳ３０８）。
【００７４】
購入者端末１０は、その商品の画面情報を管理サーバ２０から受信すると、その受信した商品の画面情報を表示部１４上に表示する（ステップＳ３０９）。
図２１は、その商品の画面情報の表示画面の一例を示す図である。
図に示すように、商品の画面情報上には、商品の画像１５１と、例えば商品の名称、販売店舗又はブランド、価格等のテキスト情報１５２と、商品の詳細な情報である商品説明情報１５３と、その画面に表示されている商品を購入するときに押下するＢＵＹボタン１５４と、その画面に表示されている商品の購入を検討しているときに押下するＷＡＮＴボタン１５５と、その画面に表示されている商品を既に持っているときに押下するＨＡＶＥボタン１５６と、その画面に表示されている商品を使用したコーディネート例のサムネイル画像１５７と、その画面に表示されている商品の購入を検討している他のユーザ（購入者）のサムネイル画像１５８と、その画面に表示されている商品を既に持っている他のユーザ（購入者）のサムネイル画像１５９とが表示されている。
【００７５】
購入者は、例えば、その商品の画面情報上の商品説明情報１５３やコーディネート例のサムネイル画像１５７を参照することにより、商品購入の際の参考することができる。
さらに、購入者は、操作部１５を用いて、コーディネート例のサムネイル画像１５７の１つを押下すると、購入者端末１０は、その押下したサムネイル画像１５７が示すコーディネート情報の取得要求とともに対応するコーディネートＩＤを管理サーバ２０へ送信する（ステップＳ３１０）。
管理サーバ２０は、そのコーディネート情報の取得要求とともに、そのコーディネートＩＤを受信すると、各ＤＢ２２１〜２２３を参照し、そのコーディネートＩＤに該当するコーディネート情報、そのコーディネート情報を提供する情報提供者のユーザ情報及びそのコーディネート情報のコーディネート例に使用された商品の商品情報を情報格納部２２から抽出する（ステップＳ３１１）。
次に、管理サーバ２０は、その抽出したコーディネート情報に対してユーザ情報等を付加して購入者端末１０へ送信する（ステップＳ３１２）。
購入者端末１０は、管理サーバ２０から受信すると、そのユーザ情報等が付加されたコーディネート情報を表示する（ステップＳ３１３）。
【００７６】
図２２は、その購入者端末１０に表示されるコーディネート情報の一例である。
図に示すように、コーディネート情報には、コーディネート例の画像１７１と、そのコーディネート例を提供した情報提供者のユーザアイコン１７２と、さらに詳細な内容のコーディネート詳細情報に移行する際に押下される詳細情報ボタン１７３と、そのコーディネート例を高評価したユーザ数を示すいいねカウンタ１７４と、そのコーディネート例に寄せられたコメント数を示すコメントカウンタ１７５と、そのコーディネート例を高評価しかつ何度も容易に閲覧可能なようにフォルダに格納したユーザ数を示すお気に入りカウンタ１７６と、そのコーディネート例を高評価する際に押下されるいいねボタン１７７と、そのコーディネート例にコメントを寄せる際に押下されるコメントボタン１７８と、そのコーディネート例を高評価しかつ何度も容易に閲覧可能なようにフォルダに格納する際に押下されるお気に入りボタン１７９と、そのコーディネート例に使用された商品のサムネイル画像１８０と、そのコーディネート例を提供した情報提供者がその他に提供しているコーディネート情報で紹介しているコーディネート例のサムネイル画像１８１とが表示される。
【００７７】
購入者は、上記図２２に示されるようなコーディネート情報（コーディネート例）を閲覧することにより、自身が既に持っている他の商品又は購入を検討している他の商品との組み合わせをイメージしやすくなり、現在店舗で販売されている商品の購入の検討材料とすることができる。
購入者は、さらに詳細なコーディネート情報（コーディネート詳細情報）の閲覧を希望する場合には、購入者端末１０の操作部１５を用いて詳細情報ボタン１７３を押下する（ステップＳ３１４／Ｙｅｓ）。
すると（ステップＳ３１４／Ｙｅｓ）、購入者端末１０は、コーディネート詳細情報の取得要求を該当するコーディネートＩＤとともに管理サーバ２０へ送信する（ステップＳ３１５）。
管理サーバ２０は、その取得要求等を受信すると、各ＤＢ２２１〜２２３を参照し、該当するコーディネート情報及びこれに対応付けられた商品情報を情報格納部２２から抽出し（ステップＳ３１６）、これら抽出した情報に基づいてコーディネート詳細情報を作成し（ステップＳ３１７）、その作成したコーディネート詳細情報を購入者端末１０へ送信する（ステップＳ３１８）。
【００７８】
購入者端末１０は、そのコーディネート詳細情報を管理サーバ２０から受信すると、表示部１４上に表示する（ステップＳ３１９）。
図２３は、その表示されるコーディネート詳細情報の一例である。
図に示すように、コーディネート詳細情報には、コーディネート例の画像１９１と、例えば説明本文、その画像１４１のコーディネート例の人物の身長・性別、情報提供者のアカウント名・所属等を示すコーディネート例のテキスト情報１９２と、その画像１４１のコーディネート例に使用されている商品の情報（商品情報）１９３と、その商品情報１４３の詳細情報を表示させるための商品詳細表示ボタン１９４と、当該コーディネート例に対して評価コメントを入力するためのコメント入力ボタン１９５とが表示されている。
購入者は、図２３に示すようなコーディネート詳細情報を参照することにより、コーディネートや商品購入の参考にすることができ、自分に合った商品を購入することができるようになる。
【００７９】
また、購入者は、購入者端末１０の操作部１５を用いて、コーディネート情報の商品のサムネイル画像１８０又はコーディネート詳細情報の商品詳細表示ボタン１９４に示される１以上の商品のうちの１つを選択すると、購入者端末１０は、その選択された商品情報の取得要求とともにその商品コードを管理サーバ２０へ送信する（ステップＳ３２０）。
管理サーバ２０は、その取得要求等を受信すると、受信した商品コードに対応した商品情報を情報格納部２２から抽出して（ステップＳ３２１）、その抽出した商品情報を購入者端末１０へ送信する（ステップＳ３２２）。
購入者端末１０は、その商品情報を受信すると、表示部１４上に表示する（ステップＳ３２３）。
ここで、表示される商品情報は、上述した図２１に示したようなものである。
このように、購入者は、店舗で販売されている商品のみならず、その商品に組み合わせて着用する商品についても詳細な情報を取得することができる。例えば、店舗で販売されているＴシャツの情報を取得できるだけでなく、そのＴシャツに合わせた帽子の情報等も取得することができる。
以上で、商品情報及びコーディネート情報の取得動作が完了する。
【００８０】
以上説明したように、購入者は、購入者端末１０を用いて、実際に店舗で販売されている商品に付されている商品コードを読み取ることにより、その商品の詳細な情報を取得するだけでなく、その商品が使用されたコーディネート例及びそのコーディネート例に使用されている他の商品の情報も容易に取得することができるので、購入者による適切な商品購入を支援することが可能となる。
【００８１】
なお、以上説明した実施の形態では、購入者は、購入者端末１０を用いて、実際に店舗で販売されている商品に付されている商品コードを読み取ることにより、商品情報及びコーディネート情報を取得していたが、その他の方法により取得することもできる。
例えば、購入者は、操作部１５を用いて、上述のようにメニュー画面（図１２）から商品検索画面（図１６）を表示し、その商品検索画面から商品を特定し、特定した商品から商品情報及びコーディネート情報を取得することもできる。
【００８２】
（４）他のコーディネート情報の取得動作
上述の通り、購入者は、購入者端末１０を用いて、店舗で販売されている商品の商品情報及びその商品が使用されているコーディネート例が示されているコーディネート情報を閲覧することにより、商品購入の参考にすることができる。
購入者は、その閲覧したコーディネート例を気に入った場合、そのコーディネート例を提供の情報提供者が提供する他のコーディネート例も閲覧することができる。
図２４は、その他のコーディネート情報の取得動作の流れを示すシーケンスチャートである。
以下、本図に沿って、その他のコーディネート情報の取得動作について説明する。
【００８３】
まず、上述の方法で図２２に示すようなコーディネート情報を表示する（ステップＳ４０１）。
このコーディネート情報には、そのコーディネート情報を提供した情報提供者による１以上の他のコーディネート例のサムネイル画像１８１が表示されている。
購入者は、購入者端末１０の操作部１５を用いて、その１以上の他のコーディネート例のサムネイル画像１８１のうちの１つを選択すると、購入者端末１０は、その選択したサムネイル画像１８１に対応するコーディネート情報の取得要求とともにそのコーディネート情報のコーディネートＩＤを管理サーバ２０へ送信する（ステップＳ４０２）。
【００８４】
管理サーバ２０は、その取得要求等を受信すると、各ＤＢ２２１〜２２３を参照し、受信したコーディネートＩＤに該当するコーディネート情報、そのコーディネート情報を提供する情報提供者のユーザ情報及びそのコーディネート情報のコーディネート例に使用された商品の商品情報を情報格納部２２から抽出する（ステップＳ４０３）。
次に、管理サーバ２０は、その抽出したコーディネート情報に対してユーザ情報及び商品情報等を付加して購入者端末１０へ送信する（ステップＳ４０４）。
購入者端末１０は、管理サーバ２０から受信すると、そのユーザ情報等が付加されたコーディネート情報を表示する（ステップＳ４０５）。
ここで、表示されるコーディネート情報は、上述の図２２に示した例と同様のものである。
このように、購入者は、店舗で販売されている商品に関連したコーディネート情報のみならず、自身が気に入ったコーディネート例を提供する情報提供者の他のコーディネート例も閲覧することができ、商品購入の参考にすることができる。
【００８５】
（５）コーディネート例に対する評価動作
上述のように、コーディネート情報（図２２）には、「いいね」、「コメント」、「お気に入り」といったコーディネート例に対する評価が表されている。
以下、その図に沿って、情報提供者が提供したコーディネート例に対して、ユーザが評価を行う際のコーディネート情報提供システムによる動作について説明する。
【００８６】
（５．１）「いいね」の評価動作
上述の通り、本実施の形態では、コーディネート例を評価する際、「いいね」、「コメント」、「お気に入り」の３種類の方法で評価を行う。
このうち、まず、「いいね」の評価を行う際の動作について説明する。
図２５は、情報提供者が提供したコーディネート例に対して「いいね」の評価を行う際の動作の流れを示すシーケンスチャートである。
以下、本図に沿って、「いいね」の評価を行う際の説明を進める。
【００８７】
まず、上述の方法で図２２に示すようなコーディネート情報を表示する（ステップＳ５０１）。
購入者は、そのコーディネート情報を閲覧して、そのコーディネート例を高評価する場合は、購入者端末１０の操作部１５を用いて、いいねボタン１７７を押下する（ステップＳ５０２／Ｙｅｓ）。
いいねボタン１７７が押下されると（ステップＳ５０２／Ｙｅｓ）、購入者端末１０は、いいねボタン１７７が押下された旨の情報をそのコーディネート情報のコーディネートＩＤ及び購入者のユーザＩＤとともに管理サーバ２０へ送信する（ステップＳ５０３）。
【００８８】
管理サーバ２０は、それら情報を購入者端末１０から受信すると、コーディネートＤＢ２２３における「いいね」の評価履歴を参照して、当該コーディネートＩＤのコーディネート例に対して当該ユーザＩＤの購入者が過去に「いいね」の評価を行っているか否かを判断する（ステップＳ５０４）。
コーディネートＤＢ２２３における当該コーディネートＩＤの「いいね」の評価履歴において、上記いいねボタン１７７を押下した購入者のユーザＩＤが記録されていた場合（ステップＳ５０４／Ｙｅｓ）、すなわち、当該購入者が過去にそのコーディネート例に対して既に「いいね」の評価をしていたと判断された場合には、管理サーバ２０は、そのまま動作を終了する。
【００８９】
一方、コーディネートＤＢ２２３における当該コーディネートＩＤの「いいね」の評価履歴において、上記購入者のユーザＩＤが記録されていない場合（ステップＳ５０４／Ｎｏ）、すなわち、当該購入者が過去にそのコーディネート例に対して「いいね」の評価をしていないと判断された場合には、管理サーバ２０は、コーディネートＤＢ２２３における当該コーディネートＩＤの「いいね」の評価履歴に当該購入者のユーザＩＤを現在の日時の情報とともに対応付けて書き込む（ステップＳ５０５）。
そして、管理サーバ２０は、コーディネートＤＢ２２３において、当該コーディネートＩＤの「いいね」の評価履歴に書き込まれた履歴の数からその評価回数を計数し（ステップＳ５０６）、その「いいね」の評価回数の情報を購入者端末１０へ送信する（ステップＳ５０７）。
【００９０】
購入者端末１０は、上記「いいね」の評価回数の情報を管理サーバ２０から受信すると、コーディネート情報上のいいねカウンタ１７４の数を１増加させて表示する（ステップＳ５０８）。
このように、コーディネート情報において、いいねカウンタ１７４に「いいね」の評価をした回数が表されているので、購入者は、何人のユーザがそのコーディネート例に対して高評価したかを確認でき、どのようなコーディネート例が現在流行しているのかを一目で容易に把握することができる。
【００９１】
（５．２）「コメント」の評価動作
次に、「コメント」の評価を行う際の動作について説明する。
図２６は、情報提供者が提供したコーディネート例に対して「コメント」の評価を行う際の動作の流れを示すシーケンスチャートである。
以下、本図に沿って、「コメント」の評価を行う際の説明を進める。
【００９２】
まず、上述の方法で図２２に示すようなコーディネート情報を表示する（ステップＳ５２１）。
購入者は、そのコーディネート情報を閲覧して、そのコーディネート例に対してコメントを入力する場合は、購入者端末１０の操作部１５を用いて、コメントボタン１７８を押下する（ステップＳ５２２／Ｙｅｓ）。
コメントボタン１７８が押下されると（ステップＳ５２２／Ｙｅｓ）、購入者端末１０は、コメント入力欄（図示せず）を表示する（ステップＳ５２３）。
購入者は、操作部１７５を用いてコメント入力欄にコーディネート例に対する評価コメントを入力する（ステップＳ５２４）。
次に、購入者端末１０は、その入力された評価コメントをそのコーディネート情報のコーディネートＩＤ及び購入者のユーザＩＤとともに管理サーバ２０へ送信する（ステップＳ５２５）。
【００９３】
管理サーバ２０は、それら情報を購入者端末１０から受信すると、コーディネートＤＢ２２３における「コメント」の評価履歴を参照して、当該コーディネートＩＤのコーディネート例に対して当該ユーザＩＤの購入者が過去に「コメント」の評価を行っているか否かを判断する（ステップＳ５２６）。
コーディネートＤＢ２２３における当該コーディネートＩＤの「コメント」の評価履歴において、上記コメントボタン１７７を押下した購入者のユーザＩＤが記録されていた場合（ステップＳ５２６／Ｙｅｓ）、すなわち、当該購入者が過去にそのコーディネート例に対して既に「コメント」の評価をしていたと判断された場合には、管理サーバ２０は、そのまま動作を終了する。
【００９４】
一方、コーディネートＤＢ２２３における当該コーディネートＩＤの「コメント」の評価履歴において、上記購入者のユーザＩＤが記録されていない場合（ステップＳ５２６／Ｎｏ）、すなわち、当該購入者が過去にそのコーディネート例に対して「コメント」の評価をしていないと判断された場合には、管理サーバ２０は、コーディネートＤＢ２２３における当該コーディネートＩＤの「コメント」の評価履歴に当該購入者のユーザＩＤを現在の日時の情報とともに対応付けて書き込む（ステップＳ５２７）。
【００９５】
また、管理サーバ２０は、コーディネートＤＢ２２３にその評価コメントの内容を、コメントをした購入者のユーザＩＤに対応付けて書き込む（ステップＳ５２８）。
そして、管理サーバ２０は、コーディネートＤＢ２２３において、当該コーディネートＩＤの「コメント」の評価履歴に書き込まれた履歴の数からその評価回数を計数し（ステップＳ５２９）、その「コメント」の評価回数の情報を購入者端末１０へ送信する（ステップＳ５３０）。
【００９６】
購入者端末１０は、上記「コメント」の評価回数の情報を管理サーバ２０から受信すると、コーディネート情報上のコメントカウンタ１７４の数を１増加させて表示する（ステップＳ５３１）。
【００９７】
また、購入者は、操作部１７５を用いて、コメントカウンタ１７５を押下すると（ステップＳ５３２／Ｙｅｓ）、購入者端末１０は、評価コメントの取得要求を該当するコーディネートＩＤとともに管理サーバ２０へ送信する（ステップＳ５３３）。
【００９８】
管理サーバ２０は、その評価コメントの取得要求等を購入者端末１０から受信すると、コーディネートＤＢ２２３から当該受信したコーディネートＩＤの評価コメントを抽出し、購入者端末１０へ送信する（ステップＳ５３４）。
【００９９】
購入者端末１０は、上記評価コメントを管理サーバ２０から受信すると、その受信した評価コメントを表示部１４上に表示する（ステップＳ５３５）。
その表示部１４上には、そのコーディネート例に対して過去にされた評価コメントとともに、上記の当該購入者が入力した評価コメントも表示される。
【０１００】
このように、コーディネート情報において、コメントカウンタ１７５に「コメント」の評価をした回数が表されているとともに、その評価コメントの内容も確認できるので、購入者は、そのコーディネート例に対してユーザの関心がどれくらい高いか、及び具体的にどのような評価をしているかを容易に把握でき、自身の商品購入及びコーディネートの際に参考にすることができる。
【０１０１】
（５．３）「お気に入り」の評価動作
次に、「お気に入り」の評価を行う際の動作について説明する。
この「お気に入り」の評価を行ったコーディネート情報は、上記マイページからワンクリックで容易に閲覧することができるようになる。従って、何度も閲覧するコーディネート情報については、その「お気に入り」の評価を行うことで購入者はコーディネート情報の管理が容易になる。
図２７は、情報提供者が提供したコーディネート例に対して「お気に入り」の評価を行う際の動作の流れを示すシーケンスチャートである。
以下、本図に沿って、「お気に入り」の評価を行う際の説明を進める。
【０１０２】
まず、上述の方法で図２２に示すようなコーディネート情報を表示する（ステップＳ５４１）。
購入者は、そのコーディネート情報を閲覧し、そのコーディネート情報をマイページの「お気に入り」での管理を希望する場合は、購入者端末１０の操作部１５を用いて、お気に入りボタン１７９を押下する（ステップＳ５４２／Ｙｅｓ）。
お気に入りボタン１７９が押下されると（ステップＳ５４２／Ｙｅｓ）、購入者端末１０は、お気に入りボタン１７９が押下された旨の情報をそのコーディネート情報のコーディネートＩＤ及び購入者のユーザＩＤとともに管理サーバ２０へ送信する（ステップＳ５４３）。
【０１０３】
管理サーバ２０は、それら情報を購入者端末１０から受信すると、コーディネートＤＢ２２３における「お気に入り」の評価履歴を参照して、当該コーディネートＩＤのコーディネート例に対して当該ユーザＩＤの購入者が過去に「お気に入り」の評価を行っているか否かを判断する（ステップＳ５４４）。
コーディネートＤＢ２２３における当該コーディネートＩＤの「お気に入り」の評価履歴において、上記お気に入りボタン１７７を押下した購入者のユーザＩＤが記録されていた場合（ステップＳ５４４／Ｙｅｓ）、すなわち、当該購入者が過去にそのコーディネート例に対して既に「お気に入り」の評価をしていたと判断された場合には、管理サーバ２０は、そのまま動作を終了する。
【０１０４】
一方、コーディネートＤＢ２２３における当該コーディネートＩＤの「お気に入り」の評価履歴において、上記購入者のユーザＩＤが記録されていない場合（ステップＳ５４４／Ｎｏ）、すなわち、当該購入者が過去にそのコーディネート例に対して「お気に入り」の評価をしていないと判断された場合には、管理サーバ２０は、コーディネートＤＢ２２３における当該コーディネートＩＤの「お気に入り」の評価履歴に当該購入者のユーザＩＤを現在の日時の情報とともに対応付けて書き込む（ステップＳ５４５）。
【０１０５】
また、管理サーバ２０は、ユーザＤＢ２２１の該当ユーザにおける「お気に入り」に当該コーディネートＩＤを書き込む（ステップＳ５４６）。
このように、購入者のユーザＩＤと「お気に入り」に指定したコーディネートＩＤとを対応付けて各ＤＢ２２１，２２３で管理することにより、購入者は、マイページから容易にお気に入りのコーディネート情報を取得することが可能となる。
【０１０６】
そして、管理サーバ２０は、コーディネートＤＢ２２３において、当該コーディネートＩＤの「お気に入り」の評価履歴に書き込まれた履歴の数からその評価回数を計数し（ステップＳ５４６）、その「お気に入り」の評価回数の情報を購入者端末１０へ送信する（ステップＳ５４７）。
【０１０７】
購入者端末１０は、上記「お気に入り」の評価回数の情報を管理サーバ２０から受信すると、コーディネート情報上のお気に入りカウンタ１７４の数を１増加させて表示する（ステップＳ５４８）。
【０１０８】
このように、コーディネート情報において、お気に入りカウンタ１７６に「お気に入り」の評価をした回数が表されているので、購入者は、何人のユーザがそのコーディネート例に対して高評価したかを確認でき、どのようなコーディネート例が現在流行しているのかを一目で容易に把握することができる。
【０１０９】
次に、そのお気に入りで管理されたコーディネート情報の閲覧動作について説明する。
図２８は、そのお気に入りで管理されたコーディネート情報の閲覧動作の流れを示すシーケンスチャートである。
以下、本図に沿って説明を進める。
【０１１０】
まず、購入者は、上述のように、購入者端末１０の操作部１５を用いて、表示部１４上にメニュー画面（図１２）を表示させる（ステップＳ５５１）。
次に、購入者は、操作部１５を用いて、そのメニュー画面上のマイページボタン１０２を押下すると（ステップＳ５５２／Ｙｅｓ）、購入者端末１０は、当該購入者自身のマイページの取得要求とともに、その購入者のユーザＩＤを管理サーバ２０へ送信する（ステップＳ５５３）。
【０１１１】
管理サーバ２０は、そのマイページの取得要求及びユーザＩＤを購入者端末１０から受信すると、該当するユーザＩＤのマイページを情報格納部２２から抽出し、その抽出したマイページを購入者端末１０へ送信する（ステップＳ５５４）。
【０１１２】
購入者端末１０は、そのマイページを管理サーバ２０から受信すると、その受信したマイページを表示部１４上に表示する（ステップＳ５５５）。
図２９は、そのマイページの一例を示す図である。このマイページは、購入者・情報提供者共通のものである。
図に示すように、マイページには、ユーザのアイコン２０１と、ユーザのアカウント名、身長、サイズ、紹介文等のプロフィール２０２と、当該ユーザが支持しているユーザ数を表示するフォロー数２０３と、当該ユーザを支持しているユーザ数を表示するフォロワー数２０４と、当該ユーザを支持する際に押下されるフォローボタン２０５と、当該ユーザ（情報提供者）が提供したコーディネート情報の数を示すコーディネート一覧カウンタ２０８と、そのコーディネート情報の一覧を表示させる際に押下されるコーディネート一覧ボタン２０９と、当該ユーザが購入予定の商品の数を示すＷＡＮＴカウンタ２１０と、その購入予定の商品の一覧を表示させる際に押下されるＷＡＮＴリストボタン２１１と、当該ユーザが実際に購入した商品の数を示すＨＡＶＥカウンタ２１２と、その購入済みの商品の一覧を表示させる際に押下されるＨＡＶＥリストボタン２１３と、上記のように「お気に入り」の評価を行ったコーディネート情報の数を示すお気に入りカウンタ２１４と、その「お気に入り」の評価を行ったコーディネート情報の一覧を表示させる際に押下されるお気に入りボタン２１５とが表示されている。
【０１１３】
上記のように表示されたマイページにおいて、購入者は、操作部１５を用いて、お気に入りボタン２１５を押下すると（ステップＳ５５６／Ｙｅｓ）、購入者端末１０は、その購入者自身が上記のように「お気に入り」の評価を行ったコーディネート情報の一覧の取得要求をその購入者のユーザＩＤとともに管理サーバ２０へ送信する（ステップＳ５５７）。
【０１１４】
管理サーバ２０は、その取得要求等を購入者端末１０から受信すると、ユーザＤＢ２２１及びコーディネートＤＢ２２３を参照し、「お気に入り」の評価を行ったとして受信したユーザＩＤに対応付けられているコーディネートＩＤのコーディネート情報を情報格納部２２から抽出し（ステップＳ５５８）、その抽出したコーディネート情報に基づいてコーディネート情報の一覧画面情報を作成し（ステップＳ５５９）、その作成したコーディネート情報の一覧画面情報を購入者端末１０へ送信する（ステップＳ５６０）。
【０１１５】
購入者端末１０は、そのコーディネート情報の一覧画面情報を受信すると、その受信した一覧画面情報を表示部１４上に表示する（ステップＳ５６１）。
図３０は、そのコーディネート情報の一覧画面情報の一例を示す図である。
図に示すように、コーディネート情報の一覧画面情報には、その購入者が「お気に入り」の評価を行ったコーディネート情報のコーディネート例のサムネイル画像２３１が表示されている。
購入者は、操作部１５を用いて、そのコーディネート情報の一覧画面情報上の１以上のサムネイル画像２２１から１つを選択すると（ステップＳ５６２／Ｙｅｓ）、購入者端末１０は、その選択したコーディネート情報の取得要求をそのコーディネート情報のコーディネートＩＤとともに管理サーバ２０へ送信する（ステップＳ５６３）。
【０１１６】
管理サーバ２０は、その取得要求等を受信すると、該当するコーディネート情報を情報格納部２２から抽出し、その抽出したコーディネート情報を購入者端末１０へ送信する（ステップＳ５６４）。
【０１１７】
購入者端末１０は、そのコーディネート情報を管理サーバ２０から受信すると、表示部１４上に表示する（ステップＳ５６５）。
ここで表示されるコーディネート情報は、図２２に示すものと同様である。
【０１１８】
このように、購入者は、マイページから「お気に入り」の評価を行ったコーディネート情報を表示させることができるので、何度も閲覧するコーディネート情報については容易に参照し、商品購入の参考にすることが可能となる。
【０１１９】
（５．４）評価動作のまとめ
以上、「いいね」、「コメント」、「お気に入り」の各評価動作の説明において、購入者が購入者端末１０を用いて評価する例について説明したが、情報提供者が情報提供者端末３０を用いて評価するようにしてもよい。
【０１２０】
（６）商品に対する評価動作
（６．１）購入予定又は購入済の商品の登録動作
上述のように、購入者は、商品情報やコーディネート情報を参照して、商品購入の参考にする。
購入者は、商品購入を検討した結果、購入を予定している場合、又は既に購入した商品については、その商品を管理サーバ２０のユーザＤＢ２２１に登録することができる。
ユーザＤＢ２２１に商品を登録しておくことで、その商品及びその商品を使用したコーディネート例をマイページから簡単に確認することができるようになる。
図３１は、購入予定又は購入済の商品を管理サーバ２０のユーザＤＢ２２１に登録する際の動作の流れを示すシーケンスチャートである。
以下、本図に沿って説明を進める。
【０１２１】
まず、購入者は、上述のように、購入者端末１０の操作部１５を用いて、商品の画面情報（図２１）を表示させる（ステップＳ６０１）。
ここで、商品の画面情報を表示させる方法としては、例えば、上述のように、店舗において、購入者端末１０を用いて商品コードを読み取って表示させたり、コーディネート情報又はコーディネート詳細情報からサムネイル画像等を選択することにより表示させたりする方法がある。
【０１２２】
次に、購入者は、操作部１５を用いて、その商品の画面情報（図２１）に示されている商品を購入予定である場合は商品の画面情報上のＷＡＮＴボタン１５５を、既にその商品を購入済の場合はＨＡＶＥボタン１５６を押下する（ステップＳ６０２／Ｙｅｓ）。
すると（ステップＳ６０２／Ｙｅｓ）、購入者端末１０は、その画面情報に示されている商品の商品コードとともに、購入者のユーザＩＤと、ＷＡＮＴボタン１５５又はＨＡＶＥボタン１５６が押下されたことを示す情報とを管理サーバ２０へ送信する（ステップＳ６０３）。
【０１２３】
管理サーバ２０は、それら情報を購入者端末１０から受信すると、押下されたボタンの種類に応じて、ユーザＤＢ２２１における受信したユーザＩＤのＷＡＮＴ又はＨＡＶＥの欄に、受信した商品コードを書き込む（ステップＳ６０４）。
以上のようにして、購入者が購入予定の商品又は購入済の商品がユーザＤＢ２２１で管理されるようになる。
【０１２４】
（６．２）購入予定又は購入済の商品の確認動作
上記のようにして登録された購入予定又は購入済の商品は、次のようにして確認することができる。
図３２は、購入予定又は購入済の商品を確認する際の動作の流れを示すシーケンスチャートである。
以下、本図に沿って説明を進める。
【０１２５】
まず、購入者は、上述のように、購入者端末１０の操作部１５を用いて、マイページ（図２９）を表示させる（ステップＳ６２１）。
次に、購入者は、操作部１５を用いて、購入予定の商品のリスト（購入予定商品リスト）を閲覧する場合にはマイページ（図２９）に示されているＷＡＮＴリストボタン２１１を、購入済みの商品のリスト（購入済み商品リスト）を閲覧する場合にはマイページ（図２９）に示されているＨＡＶＥリストボタン２１３を押下する（ステップＳ６２２／Ｙｅｓ）。
すると（ステップＳ６２２／Ｙｅｓ）、購入者端末１０は、その購入者のユーザＩＤと、ＷＡＮＴリストボタン２１１又はＨＡＶＥリストボタン２１３が押下されたことを示す情報とを管理サーバ２０へ送信する（ステップＳ６２３）。
【０１２６】
管理サーバ２０は、それら情報を購入者端末１０から受信すると、押下されたボタンの種類に応じて、ユーザＤＢ２２１において受信したユーザＩＤに対応付けられたＷＡＮＴ又はＨＡＶＥの欄から１以上の商品コードを抽出し（ステップＳ６２４）、これら抽出した商品コードに対応付けられた１以上の商品情報を商品ＤＢ２２２等から抽出する（ステップＳ６２５）。
次に、管理サーバ２０は、上記抽出した１以上の商品情報に基づいて、購入予定商品リスト又は購入済み商品リストを作成する（ステップＳ６２６）。
そして、管理サーバ２０は、その作成した購入予定商品リスト又は購入済み商品リストを購入者端末１０へ送信する（ステップＳ６２７）。
【０１２７】
購入者端末１０は、その購入予定商品リスト又は購入済み商品リストを受信すると、表示部１４上に表示する（ステップＳ６２８）。
図３３は、その表示部１４に表示される購入予定商品リストの一例を示す図である。
購入予定商品リストには、ユーザＤＢ２２１のＷＡＮＴ欄に書き込まれた商品コードの商品の一覧として、１以上の商品のサムネイル画像２４１が表示されている。
また、図３４は、購入済み商品リストの一例を示す図である。
購入済み商品リストには、ユーザＤＢ２２１のＨＡＶＥ欄に書き込まれた商品コードの商品の一覧として、１以上の商品のサムネイル画像２４２が表示されている。
図３２，３３の例では、どちらのリストにおいても、１以上の商品のサムネイル画像２４１，２４２が表示されているが、各リストはその他の形式で商品が表示されるようにしてもよく、例えば、商品名がテキストで表示されるようなリスト形式でもよい。
【０１２８】
購入者は、操作部１５を用いて、表示部１４上のリストに表示されている１以上の商品のサムネイル画像２４１，２４２から１つを選択すると（ステップＳ６２９／Ｙｅｓ）、購入者端末１０は、その選択されたサムネイル画像２３１，２３２の商品コードとともに、その選択されたサムネイル画像２４１，２４２の商品の商品情報の取得要求を管理サーバ２０へ送信する（ステップＳ６３０）。
【０１２９】
管理サーバ２０は、その取得要求等を購入者端末１０から受信すると、受信した商品コードの商品情報を情報格納部２２から抽出して（ステップＳ６３１）、その抽出した商品情報に基づいて商品の画面情報を作成し（ステップＳ６３２）、その作成した商品の画面情報を購入者端末１０へ送信する（ステップＳ６３３）。
【０１３０】
購入者端末１０は、その商品の画面情報を管理サーバ２０から受信すると、表示部１４に表示する（ステップＳ６３４）。
ここで表示される商品の画面情報は、図２１に示すものと同様である。
【０１３１】
以上のように、購入者が購入予定の商品又は購入済の商品がユーザＤＢ２２１で管理されるようになると、これら商品をマイページから簡単に確認することが可能となる。
【０１３２】
（７）商品購入動作
（７．１）ＥＣサイトからの購入動作
上述のように、購入者は、商品情報やコーディネート情報を参照して、商品購入の参考にする。
その後、購入者は、購入を決めた商品をＥＣサイトから購入することができる。
図３５は、購入者が商品をＥＣサイトから購入する際の動作の流れを示すシーケンスチャートである。
以下、本図に沿って動作の説明を進める。
【０１３３】
まず、購入者は、操作部１５を用いて、購入を決めた商品の画面情報（図２１）を表示させる（ステップＳ７０１）。
ここで、商品の画面情報を表示させる方法としては、上述のように、店舗において、購入者端末１０を用いて商品コードを読み取って表示させたり、コーディネート情報、コーディネート詳細情報、又は購入予定商品リスト（図３３）から商品のサムネイル画像２３１等を選択することにより表示させたりする方法がある。
【０１３４】
商品の画面情報（図２１）を表示させるその他の方法としては、以下のような商品検索画面から表示させる方法がある。
購入者は、操作部１５を用いてメニュー画面（図１２）の検索ボタン１０３を押下すると、購入者端末１０は、商品検索画面を表示部１４に表示する。
ここで表示される商品検索画面は上述の図１６に示したものと同様である。
購入者は、購入者端末１０を用いて、上述のように、商品検索画面（図１６）の検索条件欄１４１に検索条件を入力して管理サーバ２０から検索条件に合致した１以上の商品情報を取得し、その１以上の商品情報から１つを選択して商品の画面情報（図２１）を管理サーバ２０から受信して表示部１４に表示させる。
【０１３５】
上記のようにして商品の画面情報（図２１）を表示させた後、次に、購入者は、操作部１５を用いて、この商品の画面情報上のＢＵＹボタン１５４を押下すると（ステップＳ７０２／Ｙｅｓ）、購入者端末１０は、商品購入の際に必要な情報である商品購入情報（パスワード、クレジット情報等）を入力するための入力画面の取得要求を管理サーバ２０へ送信する（ステップＳ７０３）。
【０１３６】
管理サーバ２０は、その取得要求を受信すると、その入力画面の情報を情報格納部２２から抽出して購入者端末１０へ送信する（ステップＳ７０４）。
【０１３７】
購入者端末１０は、その入力画面の情報を管理サーバ２０から受信すると、表示部１４上に表示する（ステップＳ７０５）。
購入者は、操作部１５を用いて、その入力画面上の入力欄に商品購入情報を入力し（ステップＳ７０６）、購入者端末１０は、その入力した商品購入情報とともにその商品の商品コード及び購入者のユーザＩＤを管理サーバ２０へ送信する（ステップＳ７０７）。
【０１３８】
管理サーバ２０は、商品購入情報等を購入者端末１０から受信すると、ユーザＤＢ２２１において該当するユーザＩＤのＢＵＹ欄に今回購入する商品の商品コードを書き込む（ステップＳ７０８）。
【０１３９】
次に、管理サーバ２０は、決済処理を行い（ステップＳ７０９）、商品の購入動作が完了する。
ここで、決済処理とは、通常のＥＣサイトで行われる決済処理と同様であり、例えば、パスワード等による購入者のユーザ認証、クレジット会社のサーバと通信を行うことによる決済処理等が含まれる。
その後、購入者の下に購入した商品が配送される。
【０１４０】
このように、本実施の形態では、商品を店舗で購入しなかった場合でも、店舗で販売されている商品又は購入予定商品リストに登録した商品等をＥＣサイトで好きな時期に容易に購入することが可能となる。
【０１４１】
（７．２）他のユーザからの購入動作
また、購入者は、本実施の形態におけるコーディネート情報提供システムを利用して、自身が購入した商品を他のユーザ（購入者又は情報提供者等）に販売することもできる。
以下、あらためて自身が所有する商品を販売する側の購入者を購入者Ａとし、この購入者Ａが使用する購入者端末１０を購入者端末１０Ａとする。また、購入者Ａから商品を購入する購入者を購入者Ｂとし、この購入者Ｂが使用する購入者端末１０を購入者端末１０Ｂとする。
【０１４２】
図３６は、購入者Ａが購入した商品を販売するために管理サーバ２０に登録する際の動作の流れを示すシーケンスチャートである。
以下、本図に沿って説明を進める。
【０１４３】
まず、購入者Ｂは、購入者端末１０Ｂを用いて、商品の画面情報（図２１）を表示する（ステップＳ７２１）。
ここで、商品の画面情報を表示させる方法としては、例えば、上述のように、店舗において、購入者端末１０を用いて商品コードを読み取って表示させる方法、コーディネート情報又はコーディネート詳細情報からサムネイル画像等を選択することにより表示させる方法、メニュー画面（図１２）の検索ボタン１０３を押下して商品検索画面（図１６）に移行し商品検索を行う方法がある。
【０１４４】
次に、購入者Ｂは、購入者端末１０Ｂの操作部１５を用いて、その商品の画面情報（図２１）上の商品を既に持っている他のユーザ（購入者）のサムネイル画像１５９から、商品の購入を希望するユーザのサムネイル画像を選択する（ステップＳ７２２）。
すると、購入者端末１０Ｂは、その選択したユーザのユーザＩＤと、表示されている商品の商品コードとを管理サーバ２０へ送信する（ステップＳ７２３）。
なお、ここでは、購入者Ｂは購入者Ａのサムネイル画像を選択したものとする。
【０１４５】
管理サーバ２０は、上記ユーザＩＤ及び商品コードを購入者端末１０Ｂから受信すると、そのユーザＩＤで特定される購入者Ａの購入者端末１０Ａに対して、その商品コードの商品の購入が希望されている旨を通知する（ステップＳ７２４）。
ここで、通知方法としては、管理サーバ２０は、購入者Ａのマイページ上にその通知内容を表示させるようにしてもよいし、電子メールで通知するようにしてもよく、その方法は特に限定しない。
【０１４６】
購入者端末１０Ａは、上記通知を受信すると、表示部１４に表示する（ステップＳ７２５）。
購入者Ａは、その表示部１４に表示された通知の内容を確認し、その通知において購入者Ｂにより購入が希望されている商品を販売するか否かを決めると、操作部１５を用いて、上記通知に対して「該当商品の販売可又は不可」を示す情報を入力する（ステップＳ７２６）。
このとき、「販売可」である場合には（ステップＳ７２６／Ｙｅｓ）、購入者Ａは、操作部１５を用いて、その商品の販売に係る販売価格及び販売期間の情報も入力する（ステップＳ７２７）。
そして、購入者端末１０Ａは、上記入力した情報（販売価格・販売期間も含む）を購入者ＡのユーザＩＤ及び該当商品の商品コードを管理サーバ２０へ送信する（ステップＳ７２８）。
【０１４７】
管理サーバ２０は、それら情報を購入者端末１０Ａから受信すると、受信した情報を商品販売ＤＢ２２４に登録する（ステップＳ７２９）。
図３７は、その商品販売ＤＢ２２４が管理するデータ構成の一例を示す図である。
図に示すように、商品販売ＤＢ２２４には、各ユーザごとに、購入済み商品リストに該当するものが管理されており、その購入済みの商品の商品コードが格納されている。
そして、各商品コードに対して、その商品が販売可能か否か（○か×か）が書き込まれるとともに、販売可能な商品（以下、販売商品という）に対しては特定するための販売コードが付与され、この販売コードに対して、販売価格及び販売期間の情報が対応付けられて格納される。
【０１４８】
管理サーバ２０は、購入者端末１０Ａから「販売可」の情報を受信した場合には（ステップＳ７３０／Ｙｅｓ）、上記商品販売ＤＢ２２４に登録された情報及び商品ＤＢ２２２に登録されている商品情報等に基づいて、販売商品の商品販売用のページを作成し、作成した商品販売用のページを情報格納部２２に格納する（ステップＳ７３１）。
そして、管理サーバ２０は、購入者Ｂが購入を希望する商品が「販売可」となった旨の通知を購入者端末１０Ｂへ送信する（ステップＳ７３２）。
一方、管理サーバ２０は、購入者端末１０Ａから「販売不可」の情報を受信した場合には（ステップＳ７３０／Ｎｏ）、購入者Ｂが購入を希望する商品が「販売不可」となった旨の通知を購入者端末１０Ｂへ送信する（ステップＳ７３２）。
【０１４９】
上述の通り、本実施の形態では、購入者Ａは、購入者Ｂからの要望に応えて、自身が所有している商品を販売可に設定するが、自発的に所有する商品を販売可に設定することもできる。
例えば、購入者Ａは、購入者端末１０Ａを用いて、上述の方法で購入済み商品リスト（図３４）を表示部１４上に表示させ、その購入済み商品リストに掲載された１以上の商品のうち販売を希望するものを選択して、販売可、販売価格及び販売期間の設定を行う。
【０１５０】
以上のようにして、購入者Ａの販売商品は、商品販売ＤＢ２２４に登録され、作成された商品販売用のページから購入可能となる。
図３８は、上記のようにして商品販売ＤＢ２２４に登録された購入者Ａの販売商品を購入者Ｂが購入する際の動作の流れを示すシーケンスチャートである。
以下、本図に沿って説明を進める。
【０１５１】
まず、購入者Ｂは、購入者端末１０Ｂを用いて、管理サーバ２０に管理されている商品販売用のＥＣサイトにアクセスする。
そして、購入者Ｂは、購入者端末１０Ｂを用いて、通常のＥＣサイトのように検索条件を入力する等して購入を希望する販売商品を特定し、その販売商品の商品販売用のページの取得要求を販売コードとともに管理サーバ２０へ送信する（ステップＳ７４１）。
【０１５２】
管理サーバ２０は、上記商品販売用のページの取得要求等を購入者端末１０Ｂから受信すると、同様に受信した販売コードに該当するページを情報格納部２２から抽出して購入者端末１０へ送信する（ステップＳ７４２）。
【０１５３】
購入者端末１０Ｂは、上記商品販売用のページを管理サーバ２０から受信すると、表示部１４に表示する（ステップＳ７４３）。
図３９は、その商品販売用のページの一例を示す図である。
図には、商品をオークション形式で販売する例が示されており、商品の内容を示す情報２０１（ブランド、商品名、販売するユーザのアカウント名、現在の価格、最高額を入札したユーザのアカウント名）と、入札ボタン２０２と、入札額の入力欄２０３とが表示されている。
【０１５４】
購入者Ｂは、操作部１５を用いて、現在の価格を上まわる金額を入力欄２０３に入力し、入札ボタン２０２を押下すると（ステップＳ７４４／Ｙｅｓ）、その入札額を示す情報と、販売コードと、購入者ＢのユーザＩＤとを管理サーバ２０へ送信する（ステップＳ７４５）。
【０１５５】
管理サーバ２０は、それら情報を購入者端末１０Ｂから受信すると、該当する販売コードの商品販売用のページの「現在の価格」及び「最高入札額のユーザ」を更新し（ステップＳ７４６）、その更新した商品販売用のページを購入者端末１０Ｂへ送信する（ステップＳ７４７）。
【０１５６】
購入者端末１０Ｂは、その更新された商品販売用のページを受信すると、表示部１４に表示する（ステップＳ７４８）。
そのまま販売期間内に、他のユーザの入札が無ければ（ステップＳ７４９／Ｎｏ）、購入者Ｂが落札者となり、管理サーバ２０は、決済処理を行う（ステップＳ７５０）。
そして、管理サーバ２０は、商品販売ＤＢ２２４において、今回落札された販売商品の販売コードに対応付けられている販売可能か否かの欄を「×（販売不可）」に書き替える（ステップＳ７５１）。
以上で販売商品の購入動作が完了する。
【０１５７】
このように、購入者Ａは、以前購入した商品についてＨＡＶＥボタン１５６を押下して、購入済み商品リストに登録した後に、販売商品として商品販売ＤＢ２２４に登録することで、他のユーザに容易に販売することが可能となる。
【０１５８】
なお、以上説明した実施の形態では、商品の販売方法は、より高額の入力した購入金額が更新されていくオークション方式であったが、その他の販売方式であってもよい。
例えば、所定期間内に入力された購入希望価格のうち最も高額の価格を入力したユーザに対して販売する入札方式であってもよい。
また、管理サーバ２０は、販売商品が商品販売ＤＢ２２４に登録されると、その販売商品の商品コードの商品の画面情報に上記販売商品の情報を表示するようにしてもよい。
図４０は、その販売商品の情報が表示された商品の販売情報の一例を示す図である。
図の例では、その販売情報に示された商品について新品の他に販売商品がある場合は、「古着  ￥１，９８０〜」と最低価格が表示され、さらに「販売商品の数「５」が表示されている。
購入者Ｂは、販売商品の購入を希望する場合は、上記販売商品から１つを選択してＢＵＹボタン１５４を押下することで、販売商品を購入することができる。
【０１５９】
また、以上説明した実施の形態では、購入者Ｂ側からの要求に応じて購入者Ａが自身の所有している商品を「販売可」に設定していたが、購入者Ａ側から自発的に設定することもできる。
この場合、例えば、購入者Ａは、購入者端末１０Ａを用いて、上記購入済み商品リストを表示させ、そのリスト上で「販売可」に設定する商品を選択して、その商品コードを管理サーバ２０へ送信させる。管理サーバ２０は、その商品コードを受信すると、商品販売ＤＢ２２４に情報を書き込む又は更新する。
【０１６０】
（８）ランキング閲覧動作
上述のように、ユーザは、情報提供者の提案したコーディネート例に対して、「いいね」、「コメント」、「お気に入り」といった各評価をすることができる。
管理サーバ２０は、各コーディネート例（コーディネート情報）について上記評価の回数を計数して、多いものを上位とするランキングを作成し、ユーザ（購入者、情報提供者）の端末１０，３０からの取得要求に応じてそのランキング情報を提供する。
図４１は、そのランキング情報の提供動作の流れを示すシーケンスチャートである。
以下、本図に沿って説明を進める。
【０１６１】
管理サーバ２０は、例えば定期的にコーディネートＤＢ２２３を参照し、各コーディネート情報（コーディネート例）に対してされた評価の回数を計数する（ステップＳ８０１）。
【０１６２】
次に、管理サーバ２０は、計数した評価の数に基づいてコーディネート情報（コーディネート例）のランキングを作成する（ステップＳ８０２）。
このときのランキングの作成方法は特に限定しない。
例えば、「いいね」、「コメント」、「お気に入り」の３種類の評価の数を単純に合計してその合計数が多いものから順に上位としてランキングを作成してもよいし、各評価に重み付けをしてもよい。
また、管理サーバ２０が評価された時期を履歴として情報格納部２２に記録している場合には、所定期間内（例えば最近の３ヶ月間）の評価の合計数に基づいてランキングを作成するようにしてもよい。
【０１６３】
管理サーバ２０は、上記作成したランキングに、ランキング上位のコーディネート情報のコーディネートＩＤ及びコーディネート例の画像等を付加してランキング情報を作成し、情報格納部２２に格納する（ステップＳ８０３）。
【０１６４】
ランキング情報作成後、ユーザ（購入者、情報提供者）は、自身の端末１０，３０を用いて、メニュー画面（図１２）を表示し（ステップＳ８０４）、そのメニュー画面においてランキングボタン１０８を押下すると（ステップＳ８０５／Ｙｅｓ）、端末１０，３０は、上記ランキング情報の取得要求を管理サーバ２０へ送信する（ステップＳ８０６）。
【０１６５】
管理サーバ２０は、その取得要求に応じて、ランキング情報を情報格納部２２から抽出し、端末１０，３０へ送信する（ステップＳ８０７）。
【０１６６】
端末１０，３０は、ランキング情報を管理サーバ２０から受信すると、表示部１４，３４に表示する（ステップＳ８０８）。
図４２は、そのユーザの端末１０，３０に表示されるランキング情報の一例を示す図である。
図の例では、ランキング情報には、コーディネート例の上位（１〜３位）のユーザアカウント名と説明文３０１と、そのコーディネート例の画像３０２が表示されている。
【０１６７】
さらに、ユーザは、端末１０，３０の操作部１５，３５を用いて、例えば、各順位のコーディネート例の画像３０２を押下すると（ステップＳ８０９／Ｙｅｓ）、端末１０，３０は、その押下されたランキングのコーディネート情報の取得要求をそのコーディネートＩＤとともに管理サーバ２０へ送信する（ステップＳ８１０）。
【０１６８】
管理サーバ２０は、その取得要求等をユーザの端末１０，３０から受信すると、ともに受信したコーディネートＩＤに基づいて、コーディネートＤＢ２２３から該当するコーディネート情報を抽出して、ユーザの端末１０，３０へ送信する（ステップＳ８１１）。
ユーザの端末１０，３０は、そのコーディネート情報を管理サーバ２０から受信すると、表示部１４，３４に表示する（ステップＳ８１２）。
ユーザは、この表示されたランキングの各順位のコーディネート例、例えば多くのユーザに支持されている高順位のコーディネート例を参照することにより、商品購入の際の参考にすることが可能となる。
なお、上述の実施形態では、管理サーバ２０はコーディネート情報ごとに順位付けてランキングを作成していたが、各ユーザ（情報提供者）ごとに、所定期間内の上記評価の回数を計数して同様にランキング情報を作成し、提供するようにしてもよい。
【０１６９】
（第１の実施形態のまとめ）
以上説明したように、本発明の第１の実施の形態におけるコーディネート情報提供システムによれば、管理サーバ２０は、店舗で販売される商品の情報（商品情報）と、この商品を使用したコーディネート例の情報（コーディネート情報）とを対応付けて格納しているので、商品の購入者は、購入者端末１０を用いて、店舗等においてコード情報を読み取って管理サーバ２０へ送信することにより、その商品コードの商品情報のみならず、その商品が使用された１以上のコーディネート例の情報も容易に取得し閲覧することができ、自身の商品購入やコーディネートの参考にすることが可能となる。
【０１７０】
また、本発明の第１の実施の形態によれば、情報提供者は、情報提供者端末３０を用いて、自身の提案するコーディネート例を容易に管理サーバ２０に登録し、購入者に提供することができる。
例えば、情報提供者が商品の製造元・販売元の会社の社員や商品を販売する店舗の店員である場合は、その会社や店舗は、自身が提供する商品のコーディネート例を積極的に購入者側へ伝えることができ、多大なる宣伝広告効果を期待することができる。
上記製造元・販売元の社員や店員等は、新商品が販売された際に、その新商品を使用したコーディネート例を管理サーバ２０へアップロードし公開して情報発信を行うことにより、購入者側の購入意欲を効果的に刺激することが可能となる。
【０１７１】
また、本発明の第１の実施の形態によれば、管理サーバ２０は、同一の情報提供者が提供したコーディネート情報を対応付けて格納しているので、購入者は、購入者端末１０を用いて取得したコーディネート情報のコーディネート例を気に入った場合、同一情報提供者のその他のコーディネート例も容易に取得し閲覧することが可能となる。
また、購入者は、購入者端末１０を用いて、その他のコーディネート情報に対応付けられた商品情報も容易に取得し閲覧することが可能となる。
【０１７２】
また、本発明の第１の実施の形態によれば、管理サーバ２０は、ユーザの端末１０，３０から受信したコーディネート例に対する各種評価の履歴を管理し、その各種評価の回数等が表示されたコーディネート詳細情報をユーザの端末１０，３０からの要求に応じて送信するので、例えば、購入者はそのコーディネート例に対する評価を一目で把握でき、自身の商品購入やコーディネートの参考にすることが可能となる。
【０１７３】
また、本発明の第１の実施の形態によれば、管理サーバ２０は、上記各種評価の回数等に基づいて、コーディネート例又は情報提供者のランキング情報を作成するので、ユーザは、現在特に支持されているコーディネート例や情報提供者を一目で容易に把握することができる。
【０１７４】
また、本発明の第１の実施の形態によれば、管理サーバ２０は、購入者等が購入を予定している商品を購入予定商品リストで管理しており、購入者本人からの要求に応じて購入者端末１０へそのリストを送信するので、購入者は、備忘録としてそのリストを有効活用することが可能となる。また、後日容易に購入したり、その商品を使用したコーディネート例を容易に調べたりすることができる。
【０１７５】
また、本発明の第１の実施の形態によれば、管理サーバ２０は、購入者等が購入済みの商品を購入済み商品リストで管理しており、購入者本人からの要求に応じて購入者端末１０へそのリストを送信するので、購入者は、その商品を使用したコーディネート例を容易に調べたりすることができる。
【０１７６】
また、本発明の第１の実施の形態によれば、管理サーバ２０は、商品を所有しているユーザ及び購入を予定しているユーザが表示される商品の画面情報を作成し、購入者端末１０へ送信するので、購入者は、どのユーザがその商品に興味を持っているのかを容易に把握できるとともに、その商品を所有しているユーザに対して商品購入を容易に申し込むことが可能となる。
【０１７７】
また、本発明の第１の実施の形態によれば、管理サーバ２０は、商品の製造元・販売元のブランド会社や店舗のＷｅｂページを巡回して自動的に商品情報を抽出して商品ＤＢ２２２に登録するので、情報管理事業者や上記商品の販売元は商品情報を入力する手間を軽減することが可能となる。
【０１７８】
＜第２の実施の形態＞
（第２の実施の形態の概要）
本発明の第２の実施の形態におけるコーディネート情報提供システムによれば、購入者が店舗で商品に付されたコード情報を読み取った際、どの店舗で読み取ったかを示す情報をデータベースに登録しておくことで、その商品が後にＥＣサイトで当該購入者により購入されたとき、どの店舗がＥＣサイトにおいて商品販売にどれくらい貢献したかを容易に把握できる。
以下、特記しない限り、本実施の形態の構成、動作及び効果等は、本発明の第１の実施の形態と同様であるとして説明を進める。
【０１７９】
（第２の実施の形態の構成）
（１）コーディネート情報提供システムの全体構成
図４３は、本発明の第２の実施の形態におけるコーディネート情報提供システムの構成を示す図である。
本実施の形態では、利用開始キーが記録された利用開始キー記録媒体Ｍ２が、第１の実施の形態におけるコーディネート情報提供システムの構成に追加されている。
【０１８０】
利用開始キーとは、本実施の形態において、商品に付されたコード情報の読取を開始するとき、購入者が購入者端末１０を用いてまず最初に読み取るコード情報であり、商品を販売する各店舗固有の情報である。
【０１８１】
この利用開始キー記録媒体Ｍ２は、上述の通り、利用開始キーを記録したものであり、例えば、店舗に置かれた物品（パネル、ポスター、台座等）であってもよいし、店舗等において販売される商品に付されるタグやその他の物品であってもよい。
この場合、これら物品等には、利用開始キーとして、バーコード、２次元バーコード、文字、図形等が印刷等の方法で記録されている。
購入者端末１０の情報読取部１６は、光学スキャナ機能を用いて、これら利用開始キーを読み取る。
また、利用開始キー記録媒体Ｍ２は、近距離無線通信が可能な電子タグ等の情報記録媒体であってもよい。この場合、電子タグには利用開始キーが書き込まれており、情報読取部１６は、近距離無線通信機能を用いて、その利用開始キーを利用開始キー記録媒体Ｍ２から読み取る。
なお、上記利用開始キーは、不正アクセスを防ぐため一定期間ごとに変更されることが好ましい。
【０１８２】
（２）管理サーバ２０の構成
図４４は、本発明の第２の実施の形態における管理サーバ２０の構成を示す図である。
図に示すように、本実施の形態における管理サーバ２０の情報格納部２２は、第１の実施の形態と比べて、さらに追加して、商品を販売する店舗に係る情報を管理する店舗データベース（ＤＢ）２２５と、購入者が店舗で商品のコード情報を読み取った履歴を管理するコード読取履歴（ＤＢ）２２６とを格納する。
【０１８３】
図４５は、本発明の第２の実施の形態における店舗ＤＢ２２５が管理するデータ構成の一例を示す図である。
図に示すように、店舗ＤＢ２２５は、店舗固有の識別情報である店舗固有コードに対応付けて、その店舗名と、その店舗固有コードと１対１に対応付けられているコード情報である上記利用開始キーと、その店舗で取り扱っている商品のブランド（取扱いブランド）と、その店舗の住所情報（住所、緯度経度情報等）とを管理している。
【０１８４】
図４６は、本発明の第２の実施の形態におけるコード読取履歴ＤＢ２２６が管理するデータ構成の一例を示す図である。
図に示すように、コード読取履歴ＤＢ２２６は、購入者のユーザＩＤに対応付けて、上記店舗固有の店舗固有コードと、当該店舗内で読み取った商品の商品コードと、その読取日時とを管理している。
【０１８５】
（第２の実施の形態の動作）
（１）コード情報の読取履歴の登録動作
図４７は、本発明の第２の実施の形態におけるコード情報の読取履歴の登録動作の流れを示すシーケンスチャートである。
以下、本図に沿って、購入者が、商品が並べられている店舗を訪れ、第１の実施の形態と同様に、購入者端末１０を用いて、商品に付されているコード情報を読み取り、その読み取った履歴を管理サーバ２０に登録するときの動作について説明する。
なお、本図は、第１の実施の形態の説明の際に用いた図１８，１９に対応するものである。
【０１８６】
まず、購入者は、商品が並べられている店舗を訪れ、購入者端末１０を用いて、メニュー画面で図示しない所定のボタンを選択すると、表示部１４は、利用開始キー読取画面を表示する（ステップＳ１００１）。
そこで、購入者は、購入者端末１０の情報読取部１６を用いて、現在訪れている店舗に設置されている利用開始キー記録媒体Ｍ２に記録されている当該店舗の利用開始キー（バーコード、２次元バーコード、テキスト）を読み取る（ステップＳ１００２）。
購入者端末１０は、その読み取った利用開始キーを管理サーバ２０へ送信する（ステップＳ１００３）。
【０１８７】
管理サーバ２０は、上記利用開始キーを購入者端末１０から受信すると、店舗ＤＢ２２５を参照し、その受信した利用開始キーに対応付けられている店舗固有コードを抽出する（ステップＳ１００４）。
また、このとき、管理サーバ２０は、抽出成功又は失敗の結果を示す抽出結果情報を生成する。
抽出結果情報では、上記のように利用開始キーに対応付けられている店舗固有コードを抽出できれば成功とし、該当する利用開始キーが店舗ＤＢ２２５に登録されておらず、店舗固有コードを抽出することができなかった場合は失敗とする。
【０１８８】
次に、管理サーバ２０は、上記抽出した店舗固有コード（失敗のときは無し）と、抽出結果情報を購入者端末１０へ送信する（ステップＳ１００５）。
【０１８９】
購入者端末１０は、抽出結果情報等を管理サーバ２０から受信すると、その抽出結果が成功か失敗かを判断する（ステップＳ１００６）。
その抽出結果が失敗であり、購入者端末１０が店舗固有コードを受信することができなかった場合は（ステップＳ１００６／Ｎｏ）、表示部１６は、エラー画面を表示し（ステップＳ１０１２）、動作を終了する。
【０１９０】
一方、抽出結果が成功であり、購入者端末１０は、店舗固有コードを受信できた場合は（ステップＳ１００６／Ｙｅｓ）、表示部１４は、図２０に示すようなコード情報の読取画面を表示する（ステップＳ１００７）。
購入者は、購入者端末１０の情報読取部１６を用いて、自身が購入を予定している商品に対応する商品コード記録媒体Ｍに記録されているコード情報（バーコード、２次元バーコード、テキスト）を用いて読み取る（ステップＳ１００８）。
購入者端末１０は、その読み取ったコード情報を商品コードに変換し、その変換した商品コードとともに、上記受信した店舗固有コードと、当該購入者のユーザＩＤを管理サーバ２０へ送信する（ステップＳ１００９）。
【０１９１】
管理サーバ２０は、上記商品コード、店舗固有コード及び購入者のユーザＩＤを購入者端末１０から受信すると、コード読取履歴ＤＢ２２６における当該ユーザＩＤに対応付けて、商品コード及び店舗固有コードを登録する（ステップＳ１０１０）。
また、このとき、管理サーバ２０は、現在時刻を読取日時としてコード読取履歴ＤＢ２２６に登録する。
また、このとき、管理サーバ２０は、店舗ＤＢ２２５及び商品ＤＢ２２２を参照して、その受信した商品コードの商品のブランドを、同じく受信した店舗固有コードの店舗が取り扱っているか否かを判断し、取り扱っていると判断した場合のみ、コード読取履歴ＤＢ２２６における当該ユーザＩＤに対応付けて、商品コード及び店舗固有コードを登録するようにしてもよい。
【０１９２】
次に、管理サーバ２０は、情報格納部２２の商品ＤＢ２２２を参照し、その受信した商品コードの商品情報を抽出するが（ステップＳ１０１１）、これ以降の処理は、第１の実施の形態におけるステップＳ３０４〜Ｓ３２３（図１８，１９）と同様であるので、その説明を省略する。
【０１９３】
このように、本実施の形態では、購入者が購入者端末１０を用いて、購入予定の商品の商品コードを管理サーバ２０に登録する際、そのコード情報を読み取ったのはどの店舗においてであるかを示す店舗固有コードも対応付けて登録する。
【０１９４】
また、管理サーバ２０は、コード読取履歴ＤＢ２２６を参照することにより、購入者がどのような順でどのような店舗を訪れたかを示すデータを容易に作成することができ、マーケティング等の目的において極めて有益である。
【０１９５】
（２）ＥＣサイトからの購入動作
次に、上記のように、購入者が、店舗において読み取ったコード情報の商品を、その読み取ったＷＡＮＴリストに登録などした後、ＥＣサイトにおいて当該商品を購入するときの動作について説明する。
図４８は、本発明の第２の実施の形態において、購入者が商品をＥＣサイトから購入する際の動作の流れを示すフローチャートである。
以下、本図に沿って説明を進めるが、本図は、第１の実施の形態の説明の際に用いた図３５に対応するものである。
【０１９６】
決済処理に至るまでの処理は、第１の実施の形態におけるステップＳ７０１〜Ｓ７０８（図３５）と同様であるので、その説明を省略する。
管理サーバ２０は、ＥＣサイトにおいて、購入者による商品の購入が行われると、当該購入についてクレジットカード決済又は銀行口座決済等の処理を行い、その購入金額分、購入者の口座からＥＣサイトの口座へ引き落とす等の処理を行う（ステップＳ１１０１）。
【０１９７】
次に、管理サーバ２０は、コード読取履歴ＤＢ２２６を参照して、その購入された商品の商品コードに店舗固有コードが対応付けられているか否かを判断する（ステップＳ１１０２）。
管理サーバ２０は、その商品コードに店舗固有コードが対応付けられていないと判断した場合（ステップＳ１１０２／Ｎｏ）、そのまま動作を終了する。
【０１９８】
一方、管理サーバ２０は、コード読取履歴ＤＢ２２６において、購入商品の商品コードに店舗固有コードが対応付けられていると判断した場合（ステップＳ１１０２／Ｙｅｓ）、その店舗固有コードを抽出し、店舗ＤＢ２２５を参照して当該店舗に係る口座情報を抽出する等して、上記購入金額の一部をＥＣサイトの口座から当該店舗の口座に振り込むようクレジット会社のサーバや金融機関サーバに決済に必要な情報（金額、口座、名目等）を送信する等して、クレジット決済処理又は銀行口座決済処理を行い（ステップＳ１１０３）、動作を終了する。
【０１９９】
このように、本実施の形態では、購入者が購入した商品について、過去に店舗においてコード情報を読み取ったことがあれば、管理サーバ２０は、その購入金額の一部をＥＣサイトの口座から当該店舗の口座へ振り込むよう決済処理を行う。
【０２００】
（第２の実施の形態のまとめ）
以上説明したように、本発明の第２の実施の形態におけるコーディネート情報提供システムによれば、購入者が購入者端末１０を用いて商品の情報コードを読み取ったとき、どの店舗で読み取ったかをコード読取履歴ＤＢ２２６に記録するので、購入者がＥＣサイトで商品を購入した際、当該商品を以前どの店舗でチェックしたかを容易に確認でき、どの店舗がＥＣサイトでの販売にどのくらい貢献したかを容易に把握することが可能となる。
【０２０１】
また、その商品購入に結び付いたコード情報の読取を行った店舗には、当該商品の購入金額の一部を支払うことにより、接客のための人的資源を大量に確保することなく、効率的に収益を上げることが可能となる。
また、店舗側にもこのようなメリットがあるため、本実施の形態におけるコーディネート情報提供システムを用いたサービスに参画する店舗数の増加も見込める。
【０２０２】
また、管理サーバ２０は、購入者端末１０から商品コード及び店舗固有コードを受信したときに、当該商品が当該店舗で取り扱っているものか否かを確認するので、店舗がＥＣサイトにおける商品販売にどれくらい貢献したかを正確に把握することが可能である。
【０２０３】
また、本実施の形態では、店舗固有の情報である利用開始キーが利用開始キー記録媒体Ｍ２に記録されていたが、記録媒体に直接店舗固有コードが記録され、購入者端末１０は、読み取った店舗固有コードをそのまま管理サーバ２０へ送信するようにしてもよい。
【０２０４】
＜実施の形態のまとめ＞
以上説明したように、本発明の実施の形態におけるコーディネート情報提供システムによれば、管理サーバ２０は、店舗で販売される商品の情報（商品情報）と、この商品を使用したコーディネート例の情報（コーディネート情報）とを対応付けて格納しているので、商品の購入者は、購入者端末１０を用いて、店舗等においてコード情報を読み取って管理サーバ２０へ送信することにより、その商品コードの商品情報のみならず、その商品が使用された１以上のコーディネート例の情報も容易に取得し閲覧することができ、自身の商品購入やコーディネートの参考にすることが可能となる。
【０２０５】
また、本発明の実施の形態におけるコーディネート情報提供システムによれば、購入者が購入者端末１０を用いて商品の情報コードを読み取ったとき、どの店舗で読み取ったかをコード読取履歴ＤＢ２２６に記録するので、購入者がＥＣサイトで商品を購入した際、当該商品を以前どの店舗でチェックしたかを容易に確認でき、どの店舗がＥＣサイトでの販売にどのくらい貢献したかを容易に把握することが可能となる。
【０２０６】
上記の購入者端末１０、管理サーバ２０、情報提供者端末３０又は管理事業者端末４０は、主にＣＰＵとメモリにロードされたプログラムによって実現される。ただし、それ以外の任意のハードウェアおよびソフトウェアの組合せによってこの装置またはサーバを構成することも可能であり、その設計自由度の高さは当業者には容易に理解されるところである。
また、上記の購入者端末１０、管理サーバ２０、情報提供者端末３０及び管理事業者端末４０をソフトウェアモジュール群として構成する場合、このプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【０２０７】
なお、上記の実施例は本発明の好適な実施の一例であり、本発明の実施例は、これに限定されるものではなく、本発明の要旨を逸脱しない範囲において種々変形して実施することが可能となる。
例えば、以上説明した実施の形態では、商品を衣服や装飾品であるとして説明を進めたが、商品同士の組み合わせが有益な情報となり得る場合であれば、他の物品であってもよい。
【符号の説明】
【０２０８】
１０    購入者端末
１１，２１，３１，４１    制御部
１２，２２，３２，４２    情報格納部
１３，２３，３３，４３    通信部
１４，３４，４４    表示部
１５，３５，４５    操作部
１６，３６    情報読取部
２０    管理サーバ
３０    情報提供者端末
３７    撮影部
４０    管理事業者端末
１００    ネットワーク
１０１    ユーザ名
１０２    マイページボタン
１０３    検索ボタン
１０４    バーコードスキャンボタン
１０５    カメラボタン
１０６    コーディネート情報管理ボタン
１０７    コーディネート情報お気に入りボタン
１０８    ランキングボタン
１２１    コーディネート情報の新規登録ボタン
１２２    コーディネート情報の状態ボタン
１２３    サムネイル画像
１３１    画像入力欄
１３２    アップロードボタン
１３３    コーディネート画像
１３４    商品情報入力ボタン
１３５    編集詳細情報
１３６    状態情報
１３７    選択商品情報
１４１    検索条件欄
１４２    検索結果
１４３    商品情報選択欄
１５１    商品の画像
１５２    テキスト情報
１５３    商品説明情報
１５４    ＢＵＹボタン
１５５    ＷＡＮＴボタン
１５６    ＨＡＶＥボタン
１５７    コーディネート例のサムネイル画像
１５８    商品の購入を検討している他のユーザのサムネイル画像
１５９    商品を既に持っている他のユーザのサムネイル画像
１７１    コーディネート例の画像
１７２    ユーザアイコン
１７３    詳細情報ボタン
１７４    いいねカウンタ
１７５    コメントカウンタ
１７６    お気に入りカウンタ
１７７    いいねボタン
１７８    コメントボタン
１７９    お気に入りボタン
１８０    商品のサムネイル画像
１８１    コーディネート例の他のサムネイル画像
１９１    コーディネート例の画像
１９２    コーディネート例のテキスト情報
１９３    商品情報
１９４    商品詳細表示ボタン
１９５    コメント入力ボタン
２０１    ユーザのアイコン
２０２    プロフィール
２０３    フォロー数
２０４    フォロワー数
２０５    フォローボタン
２０８    コーディネート一覧カウンタ
２０９    コーディネート一覧ボタン
２１０    ＷＡＮＴカウンタ
２１１    ＷＡＮＴリストボタン
２１２    ＨＡＶＥカウンタ
２１３    ＨＡＶＥリストボタン
２１４    お気に入りカウンタ
２１５    お気に入りリストボタン
２２１    ユーザＤＢ
２２２    商品ＤＢ
２２３    コーディネートＤＢ
２２４    商品販売ＤＢ
２２５    店舗ＤＢ
２２６    コード読取履歴ＤＢ
２３１    コーディネート例のサムネイル画像
２４１，２４２    商品のサムネイル画像
３０１    ユーザアカウント名と説明文
３０２    コーディネート例の画像
Ｍ    商品コード記録媒体
Ｍ２    店舗固有コード記録媒体
【図１】
2014241123.tif 000003
【図２】
2014241123.tif 000004
【図３】
2014241123.tif 000005
【図４】
2014241123.tif 000006
【図５】
2014241123.tif 000007
【図６】
2014241123.tif 000008
【図７】
2014241123.tif 000009
【図８】
2014241123.tif 000010
【図９】
2014241123.tif 000011
【図１０】
2014241123.tif 000012
【図１１】
2014241123.tif 000013
【図１２】
2014241123.tif 000014
【図１３】
2014241123.tif 000015
【図１４】
2014241123.tif 000016
【図１５】
2014241123.tif 000017
【図１６】
2014241123.tif 000018
【図１７】
2014241123.tif 000019
【図１８】
2014241123.tif 000020
【図１９】
2014241123.tif 000021
【図２０】
2014241123.tif 000022
【図２１】
2014241123.tif 000023
【図２２】
2014241123.tif 000024
【図２３】
2014241123.tif 000025
【図２４】
2014241123.tif 000026
【図２５】
2014241123.tif 000027
【図２６】
2014241123.tif 000028
【図２７】
2014241123.tif 000029
【図２８】
2014241123.tif 000030
【図２９】
2014241123.tif 000031
【図３０】
2014241123.tif 000032
【図３１】
2014241123.tif 000033
【図３２】
2014241123.tif 000034
【図３３】
2014241123.tif 000035
【図３４】
2014241123.tif 000036
【図３５】
2014241123.tif 000037
【図３６】
2014241123.tif 000038
【図３７】
2014241123.tif 000039
【図３８】
2014241123.tif 000040
【図３９】
2014241123.tif 000041
【図４０】
2014241123.tif 000042
【図４１】
2014241123.tif 000043
【図４２】
2014241123.tif 000044
【図４３】
2014241123.tif 000045
【図４４】
2014241123.tif 000046
【図４５】
2014241123.tif 000047
【図４６】
2014241123.tif 000048
【図４７】
2014241123.tif 000049
【図４８】
2014241123.tif 000050